(57)【要約】      （修正有）【課題】ユーザが端末に向っている時間を容易に集計等することができる情報伝達システムを提供する。【解決手段】管理サーバと情報端末１０２とから構成され、一以上の情報端末１０２の各々は、ユーザからの入力に従い状態情報を切り替える状態情報切替部２０１２と、状態情報が「勤務中」を示す場合に、画像をキャプチャする画像キャプチャ部２０１３と、状態情報に関する情報、及び、キャプチャされた画像に関する情報を送信する情報送信部２０１５とを備え、管理サーバは、サーバ側表示部と、管理サーバを管理する管理者が第１の管理者であるか第２の管理者であるかを判定する管理者判定部と、サーバ側表示画像生成部と、を備え、サーバ側表示画像生成部は、管理者判定部が第１の管理者であると判定した場合に縮小された前記画像に関する情報のみを前記サーバ側表示部に表示させる。【選択図】図３
2012256329.tif 000002
【特許請求の範囲】
【請求項１】
管理サーバと一以上の情報端末とから構成される情報伝達システムであって、
前記一以上の情報端末の各々は、
端末側表示部と、
入力受付部と、
前記端末側表示部に、ユーザにより「勤務中又は学習中」か「休憩中」かを指定させるための画像を表示させる端末側表示画像生成部と、
「勤務中又は学習中」か「休憩中」かを示す状態情報を保持する状態情報保持部と、
前記入力受付部が受け付けた前記ユーザからの入力に従い、前記状態情報保持部に保持されている前記状態情報を切り替える状態情報切替部と、
前記状態情報保持部に保持されている状態情報が「勤務中又は学習中」を示す場合に、前記端末側表示部に表示されている画像を予め定められた頻度でキャプチャする画像キャプチャ部と、
前記画像キャプチャ部がキャプチャした画像を保持する画像保持部と、
前記状態情報保持部に保持されている状態情報に関する情報、及び、前記画像保持部に保持されている画像に関する情報を前記管理サーバに送信する端末側情報送信部と、を備え、
前記管理サーバは、
サーバ側表示部と、
前記管理サーバを管理する管理者が、縮小画像のデータのみを閲覧できる権限を持つ第１の管理者であるか、全ての情報を閲覧できる権限を持つ第２の管理者であるか、を判定する管理者判定部と、
前記サーバ側表示部への表示画像を生成するサーバ側表示画像生成部と、
を備え、
前記サーバ側表示画像生成部は、前記管理者判定部が前記第１の管理者であると判定した場合に、前記情報端末の各々から送信されてきた情報のうちで、縮小された前記画像に関する情報のみを前記サーバ側表示部に表示させる
情報伝達システム。
【請求項２】
前記サーバ側表示画像生成部は、前記縮小された画像に関する情報を、前記第１の管理者の選択を受け付ける状態で前記サーバ側表示部に表示させ、
前記管理サーバは、さらに、
前記第１の管理者により選択された前記縮小された画像に関するメッセージを予め指定された送信先に送信するサーバ側情報送信部を備える
請求項１に記載の情報伝達システム。
【請求項３】
前記画像キャプチャ部は、前記予め定められた頻度として、一定時間内に一定回数の頻度のうちのランダムなタイミングでキャプチャを行う
請求項１または２に記載の情報伝達システム。
【請求項４】
前記一以上の情報端末の各々は、さらに、
前記状態情報保持部に保持されている状態情報が「勤務中又は学習中」となって継続していた時間を計測する計測部を備え、
前記端末側情報送信部は、前記状態情報に関する情報として、前記計測部によって計測された結果を前記管理サーバに送信する
請求項１から３のいずれか１項に記載の情報伝達システム。
【請求項５】
前記画像キャプチャ部は、
前記管理サーバを管理する管理者により設定された所定の頻度で前記画像をキャプチャする
請求項１から３のいずれか１項に記載の情報伝達システム。
【請求項６】
前記画像保持部は、前記画像キャプチャ部がキャプチャした画像を縮小した画像を保持し、
前記端末側情報送信部は、前記画像に関する情報として、前記画像保持部に保持されている縮小画像を前記管理サーバに送信する
請求項１から５のいずれか１項に記載の情報伝達システム。
【請求項７】
前記端末側表示画像生成部は、前記状態情報が「勤務中又は学習中」であるか「休憩中」であるかに基づいて、ウィンドウの表示形態又は背景画像の少なくとも一方を変更して前記端末側表示部に表示させる
請求項１から６のいずれか１項に記載の情報伝達システム。
【請求項８】
前記端末側情報送信部は、
前記状態情報保持部に保持されている状態情報が「勤務中又は学習中」となっている場合に、前記入力受付部が前記ユーザから第１の入力を受け付けると、勤務開始情報を予め指定された送信先に送信し、
前記状態情報保持部に保持されている状態情報が「休憩中」となっている場合に、前記入力受け付け部が前記ユーザから第２の入力を受け付けると、勤務終了情報を前記予め指定された送信先に送信する
請求項１から７のいずれか１項に記載の情報伝達システム。
【請求項９】
前記管理サーバは、
前記情報端末の各々から送信されてきた前記状態情報に関する情報に基づいて、当該情報端末が備える前記状態情報保持部に保持されている状態情報が「勤務中又は学習中」として継続していた時間の累計値を算出する集計部を備える
請求項１に記載の情報伝達システム。
【請求項１０】
前記管理サーバは、さらに、
前記集計部が前記累計値の算出を開始する時間である集計開始時間と、前記集計部が前記累計値の累計を算出する累計期間とを、ユーザからの入力に基づいて設定する集計時間設定部を備え、
前記集計部は前記集計時間設定部により設定される前記集計開始時間から前記累計値の累計を開始し、前記集計開始時間から前記累計期間が経過すると前記累計を終了する
請求項９に記載の情報伝達システム。
【請求項１１】
前記管理サーバは、さらに、
サーバ側表示部と、
前記情報端末の各々から送信されてきた状態情報に関する情報、又は、当該管理サーバが備える集計部による集計結果を表す情報を前記サーバ側表示部に表示させるサーバ側表示画像生成部とを備える
請求項４、９又は１０のいずれか１項に記載の情報伝達システム。
【請求項１２】
前記一以上の情報端末の各々は、さらに、
前記ユーザを識別するためのユーザＩＤを、前記状態情報に関する情報、及び、前記画像キャプチャ部がキャプチャした画像に対応させるユーザＩＤ追加部を備え、
前記サーバ側表示画像生成部は、前記情報端末の各々から送信されてきた状態情報に関する情報、又は前記画像に関する情報を、前記ユーザＩＤ毎に前記サーバ側表示部に表示させる
請求項１１に記載の情報伝達システム。
【請求項１３】
前記集計部は、所定期間中における前記状態情報保持部に保持されている状態情報が「勤務中又は学習中」として継続していた時間の累計値を前記ユーザＩＤ毎に算出し、
前記管理サーバは、さらに、
前記集計部が算出する前記所定期間中における累計値が所定値を超えているか否かを判定する時間判定部を備え、
前記サーバ側表示画像生成部は、前記時間判定部による判定の結果を前記ユーザＩＤ毎に前記サーバ側表示部に表示させる
請求項１２に記載の情報伝達システム。
【請求項１４】
前記管理サーバは、さらに、
前記ユーザＩＤと前記ユーザを複数のグループ毎に分類するグループＩＤとを関連付けたユーザ情報を保持するユーザ情報保持部を備え、
前記サーバ側表示画像生成部は、前記管理者に選択されたグループに関する入力と前記ユーザ情報とに基づいて、当該グループに属するユーザＩＤに対応する前記情報端末の各々から送信されてきた状態情報に関する情報、前記画像に関する情報、又は前記集計結果を表す情報を前記グループ毎に前記サーバ側表示部に表示させる
請求項１２又は１３に記載の情報伝達システム。
【請求項１５】
前記管理サーバは、さらに、
前記ユーザ情報保持部を含み、かつ、前記情報端末の各々から送信されてきた前記状態情報に関する情報、前記画像に関する情報、及び前記集計結果を表す情報を保持する情報保持部と、
前記情報保持部が保持する前記状態情報に関する情報、及び、前記画像に関する情報から、前記ユーザＩＤ、前記グループＩＤ、又は前記所定期間中における前記累計値の内の少なくとも１つを前記管理者の入力に基づいて検索する情報検索部と
を備え、
前記サーバ側表示画像生成部は、前記情報検索部の検索の結果を前記サーバ側表示部に表示させる
請求項１４に記載の情報伝達システム。
【請求項１６】
前記管理サーバは、さらに、
前記管理者からの入力に従い、指定された前記情報端末に対してキャプチャ指令を出力するキャプチャ指令部と、
前記指定された情報端末に前記キャプチャ指令を送信するサーバ側情報送信部と、
を備え、
前記画像キャプチャ部は、前記管理サーバから送信されてきた前記キャプチャ指令を受信した時点で、当該キャプチャ指令に基づいて前記端末側表示部に表示されている画像をキャプチャする
請求項１から１５のいずれか１項に記載の情報伝達システム。
【請求項１７】
前記端末側情報送信部は、前記画像キャプチャ部が前記キャプチャ指令に基づいて前記端末側表示部に表示されている画像をキャプチャした場合に、当該キャプチャされた画像をキャプチャされた時点で前記管理サーバに送信する
請求項１６に記載の情報伝達システム。
【請求項１８】
前記情報端末の少なくとも一つは、さらに、当該端末においてスクリーンセーバーが動作を始めたことを検出するスクリーンセーバー動作検出部を備え、
前記スクリーンセーバー動作検出部は、前記状態情報保持部に保持されている状態情報が「勤務中又は学習中」であって、スクリーンセーバーが動作を始めたことを検出した場合には、一定の処理をした後に、前記状態情報を、「休憩中」を示す情報に切り替える
請求項１から１７のいずれか１項に記載の情報伝達システム。
【請求項１９】
前記スクリーンセーバー動作検出部は、さらに、スクリーンセーバー動作状態が解消したことを検出し、当該スクリーンセーバー動作状態が解消したことを検出した場合には、前記状態情報を、「勤務中又は学習中」を示す情報に切り替える
請求項１８に記載の情報伝達システム。
【請求項２０】
前記情報端末の少なくとも一つは、
前記状態情報保持部に保持されている状態情報が「勤務中又は学習中」となったタイミングから「勤務中又は学習中」が継続している時間である連続勤務時間を計測する連続勤務時間計測部と、
前記連続勤務時間が予め設定された所定の時間を超えた場合に、その旨を示す情報を当該情報端末の端末側表示部に表示させる連続勤務画像表示部とを備える
請求項１から１９のいずれか１項に記載の情報伝達システム。
【請求項２１】
請求項１記載の情報伝達システムにおける管理サーバ。
【請求項２２】
管理サーバと一以上の情報端末とから構成される情報伝達システムにおける前記一以上の情報端末の各々による情報伝達方法であって、
表示部に、ユーザにより「勤務中又は学習中」か「休憩中」かを指定させるための画像を表示させる指定画面表示ステップと、
入力受付部が受け付けた前記ユーザからの入力に従い、状態情報保持部に保持されている「勤務中又は学習中」か「休憩中」かを示す状態情報を切り替える状態情報切替ステップと、
前記状態情報保持部に保持されている状態情報が「勤務中又は学習中」を示す場合に、前記表示部に表示されている画像を予め定められた頻度でキャプチャする自動キャプチャステップと、
前記状態情報保持部に保持されている状態情報に関する情報、及び、前記画像保持部に保持されている画像に関する情報を前記管理サーバに送信する送信ステップと、
前記管理サーバを管理する管理者が、縮小画像のデータのみを閲覧できる権限を持つ第１の管理者であるか、全ての情報を閲覧できる権限を持つ第２の管理者であるか、を判定する管理者判定ステップと、
前記表示部への表示画像を生成するサーバ側表示画像生成ステップと、
前記管理者判定部が前記第１の管理者であると判定した場合に、前記情報端末の各々から送信されてきた情報のうちで、縮小された前記画像に関する情報のみを前記サーバ側表示部に表示させる表示ステップと
を含む情報伝達方法。
【請求項２３】
管理サーバと一以上の情報端末とから構成される情報伝達システムにおける前記一以上の情報端末の各々による情報伝達方法のためのプログラムであって、
請求項２２記載の情報伝達方法に含まれるステップを当該情報端末が備えるコンピュータに実行させるプログラム。
【発明の詳細な説明】
【技術分野】
【０００１】
本発明は、情報伝達システムに関し、特にインターネット等のネットワーク上で情報の伝達を行う情報伝達システムにおけるユーザの在席管理に関する。
【背景技術】
【０００２】
近年、インターネット上で情報の伝達を行う情報伝達システム、例えばｅラーニングシステムなどが広く普及している。また、自宅にパソコンを配備し、在宅にてソフトウェア開発等の業務を行うような在宅就労支援システムなどにおいて、管理サーバにて在宅就労者を管理するために、各ユーザのパソコンにて取得された情報を、インターネット等のネットワークを介して管理サーバに取り込むような情報伝達形態も考えられている。
【０００３】
このような情報伝達システムにおいてユーザを管理する技術として、特許文献１には、ｅラーニングシステムにおいて、端末側に「出席ボタン」、「退席ボタン」を設け、「退席中」、「聴講中」を管理する技術が開示されている（第００３７段落、第００３８段落）。
【先行技術文献】
【特許文献】
【０００４】
【特許文献１】特開２００９−３００８９０号公報
【発明の概要】
【発明が解決しようとする課題】
【０００５】
しかしながら、特許文献１の技術では、学習者が「退席中」か「聴講中」かの状態を把握できるものの、詳細な時間管理（学習時間の管理）まではできないという問題がある。特に在宅就労支援システムにおいては、特許文献１のような技術を適用し、例えば「勤務中」か「休憩中」かを管理することは可能であるが、特許文献１の技術では、ユーザの勤務時間を的確に把握することができないという問題がある。
【０００６】
さらに、特許文献１のような技術では、ボタンだけによってユーザの状態（学習中／勤務中か休憩中かの状態）を管理しているので、学習中／勤務中においてユーザが本当に学習／勤務をしていたのかという信憑性の確認まではできないという問題もある。たとえば、ユーザが端末の画面で「出席ボタン」を押下した状態で別のウィンドウを開き、そのウィンドウで学習とは異なることを行っていたとしても、管理サーバでは、そのような端末における実情までは把握できないという問題がある。
【０００７】
そこで、本発明は上記の点に鑑みてなされたものであって、ユーザが端末に向って作業（学習／勤務）していた時間を容易に管理サーバにて把握することができるとともに、その信憑性をも確認することができる情報伝達システム等を提供することを目的としている。
【課題を解決するための手段】
【０００８】
上記の問題点を解決するために、本発明に係る情報伝達システムは、管理サーバと一以上の情報端末とから構成される情報伝達システムであって、前記一以上の情報端末の各々は、端末側表示部と、入力受付部と、前記端末側表示部に、ユーザにより「勤務中又は学習中」か「休憩中」かを指定させるための画像を表示させる端末側表示画像生成部と、「勤務中又は学習中」か「休憩中」かを示す状態情報を保持する状態情報保持部と、前記入力受付部が受け付けた前記ユーザからの入力に従い、前記状態情報保持部に保持されている前記状態情報を切り替える状態情報切替部と、前記状態情報保持部に保持されている状態情報が「勤務中又は学習中」を示す場合に、前記端末側表示部に表示されている画像を予め定められた頻度でキャプチャする画像キャプチャ部と、前記画像キャプチャ部がキャプチャした画像を保持する画像保持部と、前記状態情報保持部に保持されている状態情報に関する情報、及び、前記画像保持部に保持されている画像に関する情報を前記管理サーバに送信する端末側情報送信部と、を備え、前記管理サーバは、サーバ側表示部と、前記管理サーバを管理する管理者が、縮小画像のデータのみを閲覧できる権限を持つ第１の管理者であるか、全ての情報を閲覧できる権限を持つ第２の管理者であるか、を判定する管理者判定部と、前記サーバ側表示部への表示画像を生成するサーバ側表示画像生成部と、を備え、前記サーバ側表示画像生成部は、前記管理者判定部が前記第１の管理者であると判定した場合に、前記情報端末の各々から送信されてきた情報のうちで、縮小された前記画像に関する情報のみを前記サーバ側表示部に表示させる。
【０００９】
これにより、管理サーバには、ユーザの状態情報（「勤務中又は学習中」か「休憩中」か）に関する情報、及び、ユーザの情報端末において予め定められた頻度でキャプチャされた画像に関する情報が送られてくるので、ユーザが端末に向って作業（学習／勤務）していた細切れの作業時間を容易に管理サーバにて把握することができるとともに、その信憑性をも確認することができ、その仕組みを知るユーザのサボタージュが抑制される。
【００１０】
なお、画像キャプチャにおける「予め定められた頻度」とは、一定時間内に何回キャプチャを行うかであり、一定時間間隔で毎回キャプチャする場合だけでなく、ランダムなタイミングで一定時間内に一定回数のキャプチャを行う場合も含まれる。
【００１１】
また、管理者を第１の管理者（例えばチェック者）と第２の管理者（例えばすべての情報を閲覧できる権限を持つ管理者）とに役割を分けることにより、第２の管理者がユーザのキャプチャされた画像に関する情報について閲覧しなくとも、チェック者がキャプチャされた画像を閲覧してユーザのサボタージュを判定することができる。また、チェック者には、縮小画像のみを閲覧させることにより、ユーザの個人情報をチェック者が得ることを抑制することができる。
【００１２】
また、前記サーバ側表示画像生成部は、前記縮小された画像に関する情報を、前記第１の管理者の選択を受け付ける状態で前記サーバ側表示部に表示させ、前記管理サーバは、さらに、前記第１の管理者により選択された前記縮小された画像に関するメッセージを予め指定された送信先に送信するサーバ側情報送信部を備えてもよい。
【００１３】
また、前記画像キャプチャ部は、前記予め定められた頻度として、一定時間内に一定回数の頻度のうちのランダムなタイミングでキャプチャを行ってもよい。
【００１４】
このため、例えば、「1時間に６回」という頻度である場合、画像キャプチャ部は、乱数を用いることにより、７分後、１８分後、２１分後、３３分後、４２分後、５５分後、というように、事前に、ランダムな６回分（１時間分）のキャプチャリング時刻を決定し、その時刻になったら画像キャプチャを行うことになる。これによって、ユーザが推測しにくいタイミングで画像がキャプチャされる。
【００１５】
ここで、前記一以上の情報端末の各々は、さらに、前記状態情報保持部に保持されている状態情報が「勤務中又は学習中」となって継続していた時間を計測する計測部を備え、前記端末側情報送信部は、前記状態情報に関する情報として、前記計測部によって計測された結果を前記管理サーバに送信してもよい。これにより、情報端末において細切れの勤務時間／学習時間が算出され、管理サーバでは、その時間を集計することで、総勤務時間／総学習時間を把握することができる。
【００１６】
また、前記画像キャプチャ部は、前記管理サーバを管理する管理者により設定された所定の頻度で前記画像をキャプチャしてもよい。これにより、管理サーバを操作する管理者は、画像キャプチャリングのサンプリング間隔を任意に設定することができ、管理サーバに蓄積されるキャプチャリング画像のデータ容量を制御することができる。
【００１７】
また、前記画像保持部は、前記画像キャプチャ部がキャプチャした画像を縮小した画像を保持し、前記端末側情報送信部は、前記画像に関する情報として、前記画像保持部に保持されている縮小画像を前記管理サーバに送信してもよい。これにより、情報端末から管理サーバに送信されるデータ容量及び管理サーバに蓄積されるキャプチャリング画像のデータ容量を抑制することができる。
【００１８】
また、前記端末側表示画像生成部は、前記状態情報が「勤務中又は学習中」であるか「休憩中」であるかに基づいて、ウィンドウの表示形態又は背景画像の少なくとも一方を変更して前記端末側表示部に表示させてもよい。
【００１９】
このように、特定の領域において状態情報について表示するのではなく、画面全体において状態情報について表示しているため、管理者は、状態情報が「勤務中又は学習中」であるか「休憩中」であるかを、瞬時に判定することができる。また、管理者は、縮小画像を見るだけで状態情報を判別することができる。このため、状態情報を判別するための画像データの容量を低減することができ、通信に係る設備への負担を抑えること、又は、画像データが記憶される記憶容量を抑えることができる。
【００２０】
また、前記端末側情報送信部は、前記状態情報保持部に保持されている状態情報が「勤務中又は学習中」となっている場合に、前記入力受付部が前記ユーザから第１の入力を受け付けると、勤務開始情報を予め指定された送信先に送信し、前記状態情報保持部に保持されている状態情報が「休憩中」となっている場合に、前記入力受け付け部が前記ユーザから第２の入力を受け付けると、勤務終了情報を前記予め指定された送信先に送信してもよい。
【００２１】
これにより、予め送信先として指定された者（例えば管理者）は、ユーザの勤務開始情報又は勤務終了情報を得ることができ、ユーザが勤務を開始したか否か、または、ユーザが勤務を終了したか否かを知ることができる。
【００２２】
前記管理サーバは、前記情報端末の各々から送信されてきた前記状態情報に関する情報に基づいて、当該情報端末が備える前記状態情報保持部に保持されている状態情報が「勤務中又は学習中」として継続していた時間の累計値を算出する集計部を備えてもよい。
【００２３】
そして、前記管理サーバは、さらに、前記集計部が前記累計値の算出を開始する時間である集計開始時間と、前記集計部が前記累計値の累計を算出する累計期間とを、ユーザからの入力に基づいて設定する集計時間設定部を備え、前記集計部は前記集計時間設定部により設定される前記集計開始時間から前記累計値の累計を開始し、前記集計開始時間から前記累計期間が経過すると前記累計を終了してもよい。
【００２４】
そして、前記管理サーバは、さらに、サーバ側表示部と、前記情報端末の各々から送信されてきた状態情報に関する情報、又は、当該管理サーバが備える集計部による集計結果を表す情報を前記サーバ側表示部に表示させるサーバ側表示画像生成部とを備えてもよい。これにより、一定期間（例えば、一つの学習テーマ、あるいは、一つの業務プロジェクト）における総学習時間／総勤務時間が管理サーバにて集計され、管理サーバの画面に表示される。
【００２５】
また、前記一以上の情報端末の各々は、さらに、前記ユーザを識別するためのユーザＩＤを、前記状態情報に関する情報、及び、前記画像キャプチャ部がキャプチャした画像に対応させるユーザＩＤ追加部を備え、前記サーバ側表示画像生成部は、前記情報端末の各々から送信されてきた状態情報に関する情報、又は前記画像に関する情報を、前記ユーザＩＤ毎に前記サーバ側表示部に表示させてもよい。
【００２６】
また、前記集計部は、所定期間中における前記状態情報保持部に保持されている状態情報が「勤務中又は学習中」として継続していた時間の累計値を前記ユーザＩＤ毎に算出し、前記管理サーバは、さらに、前記集計部が算出する前記所定期間中における累計値が所定値を超えているか否かを判定する時間判定部を備え、前記サーバ側表示画像生成部は、前記時間判定部による判定の結果を前記ユーザＩＤ毎に前記サーバ側表示部に表示させてもよい。
【００２７】
これにより、ユーザＩＤ毎に、情報端末の各々から送信されてきた状態情報に関する情報、又は画像に関する情報を、管理することができる。
【００２８】
また、前記管理サーバは、さらに、前記ユーザＩＤと前記ユーザを複数のグループ毎に分類するグループＩＤとを関連付けたユーザ情報を保持するユーザ情報保持部を備え、前記サーバ側表示画像生成部は、前記管理者に選択されたグループに関する入力と前記ユーザ情報とに基づいて、当該グループに属するユーザＩＤに対応する前記情報端末の各々から送信されてきた状態情報に関する情報、前記画像に関する情報、又は前記集計結果を表す情報を前記グループ毎に前記サーバ側表示部に表示させてもよい。
【００２９】
これにより、情報端末の各々から送信されてきた状態情報に関する情報、又は画像に関する情報をグループごとに管理サーバの画面に表示させることができる。このため、管理者は、グループ毎にユーザを管理することが容易になる。
【００３０】
また、前記管理サーバは、さらに、前記ユーザ情報保持部を含み、かつ、前記情報端末の各々から送信されてきた前記状態情報に関する情報、前記画像に関する情報、及び前記集計結果を表す情報を保持する情報保持部と、前記情報保持部が保持する前記状態情報に関する情報、及び、前記画像に関する情報から、前記ユーザＩＤ、前記グループＩＤ、又は前記所定期間中における前記累計値の内の少なくとも１つを前記管理者の入力に基づいて検索する情報検索部とを備え、前記サーバ側表示画像生成部は、前記情報検索部の検索の結果を前記サーバ側表示部に表示させてもよい。
【００３１】
このように、ユーザＩＤ、グループＩＤ、又は所定期間中における累計値の内の少なくとも１つを管理者の入力に基づいて検索することができるため、管理者が確認したい情報をすぐに閲覧することができる。また、条件毎にユーザを抽出することができるため、ユーザの管理が容易になる。
【００３２】
また、前記管理サーバは、さらに、前記管理者からの入力に従い、指定された前記情報端末に対してキャプチャ指令を出力するキャプチャ指令部と、前記指定された情報端末に前記キャプチャ指令を送信するサーバ側情報送信部と、を備え、前記画像キャプチャ部は、前記管理サーバから送信されてきた前記キャプチャ指令を受信した時点で、当該キャプチャ指令に基づいて前記端末側表示部に表示されている画像をキャプチャしてもよい。
【００３３】
また、前記端末側情報送信部は、前記画像キャプチャ部が前記キャプチャ指令に基づいて前記端末側表示部に表示されている画像をキャプチャした場合に、当該キャプチャされた画像をキャプチャされた時点で前記管理サーバに送信してもよい。
【００３４】
これにより、管理者が任意のタイミングで任意の端末装置に対して当該端末装置に表示されている画像をキャプチャさせることができる。また、管理者はリアルタイムに任意の情報端末の画像を取得することができる。
【００３５】
また、前記情報端末の少なくとも一つは、さらに、当該端末においてスクリーンセーバーが動作を始めたことを検出するスクリーンセーバー動作検出部を備え、前記スクリーンセーバー動作検出部は、前記状態情報保持部に保持されている状態情報が「勤務中又は学習中」であって、スクリーンセーバーが動作を始めたことを検出した場合には、一定の処理をした後に、前記状態情報を、「休憩中」を示す情報に切り替えてもよい。これにより、ユーザの入力操作を必要とする学習／勤務においては、その入力操作が一定時間なかった場合には、その学習／勤務が中断されていることを意味するので、スクリーンセーバーとの連動により、学習／勤務の中断が自動検知され、一定の処理を経た後に（例えば、「在席の有無」の確認画面がポップアップされ、それに対して一定時間入力がない場合に）、状態情報が「勤務中又は学習中」から「休憩中」に自動的に切り替えられる。
【００３６】
また、前記スクリーンセーバー動作検出部は、さらに、スクリーンセーバー動作状態が解消したことを検出し、当該スクリーンセーバー動作状態が解消したことを検出した場合には、前記情報を「勤務中又は学習中」を示す情報に切り替えてもよい。これにより、学習／勤務の中断が解消された場合には、元の状態に自動的に復帰される。
【００３７】
また、前記情報端末の少なくとも一つは、前記状態情報保持部に保持されている状態情報が「勤務中又は学習中」となったタイミングから「勤務中又は学習中」が継続している時間である連続勤務時間を計測する連続勤務時間計測部と、前記連続勤務時間が予め設定された所定の時間を超えた場合に、その旨を示す情報を当該情報端末の表示部に表示させる連続勤務画像表示部とを備えてもよい。これにより、連続勤務時間が長時間に及ぶ場合に、そのことが自動検知され、ユーザに休憩が促され、ユーザの健康に対する配慮が行われる。
【００３８】
なお、本発明は、上記情報伝達システムとして実現できるだけでなく、上記情報伝達システムにおける情報端末単体、管理サーバ単体、情報端末による処理方法、管理サーバによる処理方法、各処理方法をコンピュータに実行させるプログラム、そのプログラムを格納したコンピュータ読み取り可能なＤＶＤ等の記録媒体等として、実現することもできる。
【発明の効果】
【００３９】
本発明に係る情報伝達システム等によれば、ユーザが端末に向って作業（学習／勤務）していた細切れの作業時間を容易に管理サーバにて把握することができるとともに、その信憑性をも確認することができる。つまり、以下のことが実現される。
【００４０】
（１）実質の業務時間管理
ＰＣ（パソコン）の前に座っていた何時から何時までの時間、ではなく、「ＰＣを使って仕事（あるいは、学習）をしていた」(つまり、細切れの）時間を集計できる。
【００４１】
（２）サボタージュ抑制
ＰＣを用いて仕事（あるいは、学習）でネットをみていたら、面白い商品を見つけたので、ちょっとプライベートで買い物、といった状況を抑制することができる。
【００４２】
（３）業務外作業への対応
本人の希望があればＰＣ上の「休憩中（業務外）」ボタンを押すことで、来客対応や、ネットでの買い物などに対応できる。
【００４３】
（４）働きすぎ抑制
ＰＣを使って仕事（あるいは、学習）をしていた時間が所定期間に対して多すぎる状況を抑制することができる。
【００４４】
（５）管理画面の閲覧性の向上
ユーザＩＤ毎又はグループＩＤ毎に、各種情報を管理サーバの画面に表示させることができる。また、ユーザＩＤ、グループＩＤ、又は累計値の少なくとも一つを入力して検索することにより、入力した条件ごとに抽出されたユーザ毎に各種情報を管理サーバの画面に表示させることができる。
【００４５】
よって、インターネットを用いたｅラーニングシステムや在宅就労支援システムが普及してきた今日における本発明の実用的意義は極めて高い。
【図面の簡単な説明】
【００４６】
【図１】本発明の一実施の形態における情報伝達システムの全体システム構成の一例を示す図
【図２】情報端末のハードウェア構成の一例を示すブロック図
【図３】本発明の実施の形態の情報端末の機能ブロック図
【図４】本実施の形態における情報端末の表示画像の一例を示す図
【図５】勤務時間情報保持部に保持される勤務時間情報の一例を示す図
【図６】勤務中指示領域押下時処理を示すフローチャート
【図７】休憩中指示領域押下時処理を示すフローチャート
【図８】情報端末と管理サーバとの間の通信シーケンスの一例を示す図
【図９】本実施の形態における管理サーバの機能ブロック図
【図１０】本実施の形態におけるユーザＩＤ入力画面の一例を示す図
【図１１】本実施の形態における管理者画面を示す図
【図１２】本実施の形態におけるユーザステータス画面を示す図
【図１３】本実施の形態におけるユーザ一覧画面を示す図
【図１４】本実施の形態におけるＩＮ／ＯＵＴ情報画面の一例を示す図
【図１５】本実施の形態におけるキャプチャ情報閲覧画面を示す図
【図１６】本実施の形態におけるユーザ検索画面を示す図
【図１７】本実施の形態における検索結果画面を示す図
【図１８】本実施の形態におけるチェック者画面を示す図
【図１９】本実施の形態におけるユーザ一覧画面を示す図
【図２０】本実施の形態におけるキャプチャ情報閲覧画面を示す図
【図２１】管理サーバに蓄積された画像データの一覧表示を示す図
【発明を実施するための形態】
【００４７】
以下、本発明の実施の形態について、図面を参照しながら説明する。
【００４８】
図１は、本発明の一実施の形態における情報伝達システムの全体システム構成の一例を示す図である。本実施の形態では、本発明を、在宅就労支援システムに適用した場合について説明する。ただし、本発明をｅラーニングシステムに適用することも可能である。その場合には、本実施の形態における「勤務」を「学習」と読み替えればよい。
【００４９】
同図に示されるように、本実施の形態では、管理サーバ１０１、一以上の情報端末（同図では、１０２Ａ、１０２Ｂが図示される。以下、特に区別する必要が無い場合には、単に「情報端末１０２」と記することもある。）が、インターネット等のネットワーク１０３を介して接続される。なお、本実施の形態では、管理サーバ１０１を利用する管理者及びチェック者（広義の管理者）と、情報端末１０２を利用するユーザとが、情報伝達システムを利用することになる。ここで、「管理者」は、ユーザに関するユーザ情報やその他の情報などの全ての情報へのアクセス権限を有しているものであり、「広義の」と指定しない単なる管理者を指す。「チェック者」は、ユーザに関する一部の情報のみのアクセス権限を有しているものであり、広義の管理者とは管理者とチェック者とを含む。「ユーザ」は、本実施の形態ではいわゆる在宅就労者である。なお、本発明をｅラーニングシステムに適用する場合には、「ユーザ」は在宅就学者である。
【００５０】
情報端末１０２Ａ、１０２Ｂは、それぞれ画面を表示する表示部１０２１Ａ、１０２１Ｂ、ユーザからの入力を受け付ける入力受付部１０２２Ａ、１０２２Ｂが設けられている。入力受付部１０２２Ａ、１０２２Ｂとしては、図１に例示されるキーボードだけでなく、マウス等のポインティングデバイスを設ける構成にすることが好ましい。なお、表示部、入力受付部とも、特に区別する必要が無い場合には、以下、単に「表示部１０２１」、「入力受付部１０２２」と記することもある。
【００５１】
図２は、情報端末１０２のハードウェア構成の一例を示すブロック図である。情報端末１０２は、ＣＰＵ２０１、ＲＡＭ２０２、ＲＯＭ２０３、ＮＩＣ（ネットワーク・インタフェース・カード）２０４、ＨＤＤ（ハード・ディスク・ドライブ）２０５を備えている。ＣＰＵ２０１は、表示部１０２１への表示制御、入力受付部１０２２からの入力受付を行う他、ＣＰＵ２０１上でコンピュータプログラムが動作することにより、本実施の形態の情報伝達システム各部の機能が実現される。ＣＰＵ２０１から表示部１０２１等へのＩ／Ｏインタフェースの詳細については図示を省略している。
【００５２】
ＨＤＤ２０５には、本実施の形態の情報伝達システムを実現するためのプログラムが格納される。プログラムモジュールは必要に応じてＨＤＤ２０５から読み出され、ＲＡＭ２０２に格納される。さらにＣＰＵ２０１によりＲＡＭ２０２から読み出し、実行されることにより、情報伝達システムの動作を実現する。さらに、ＨＤＤ２０５には、後述するようにキャプチャされた画面の画像データが格納される。画像データは、ＮＩＣ２０４を介してネットワーク１０３に送出され、管理サーバ１０１に送信される。
【００５３】
図３は、本実施の形態の情報端末１０２の機能ブロック図である。情報端末１０２では、ＣＰＵ２０１においてプログラムが動作することにより、表示画像生成部２０１１、状態情報切替部２０１２、画像キャプチャ部２０１３、スクリーンセーバー動作検出部２０１４、情報送信部２０１５、計測部２０１６、及びユーザＩＤ追加部２０１７の機能が実現される。
【００５４】
表示画像生成部２０１１は、表示部１０２１への表示画像を生成する。図４は、本実施の形態における表示画像の一例について説明するための図である。本実施の形態では、表示画像生成部２０１１より、表示部１０２１の画面上に、ユーザが「勤務中」であるか「休憩中」であるかを示す状態情報（ここでは、「勤務中」（状態情報表示領域３０１））、ユーザが「勤務中」である場合に押下するためのボタン画像「ＩＮ」（勤務中指示領域３０２）、ユーザが「休憩中」である場合に押下するためのボタン画像「ＯＵＴ」（休憩中指示領域３０３）が表示される。なお、本実施の形態では、「勤務中」は、「勤務中又は学習中」の一例であり、ｅラーニングシステムにおける「学習中」に置き換えてもよい（以下の全ての「勤務中」について同様）。
【００５５】
ユーザは、自らが勤務中（ｅラーニングシステムにおいては学習中）である場合には、入力受付部（例えばマウス）１０２２を用いて、勤務中指示領域３０２を押下する。勤務中指示領域３０２が押下されると、表示画像生成部２０１１よって状態情報表示領域３０１の表示が「勤務中」になるとともに、状態情報切替部２０１２が、状態情報保持部２０２１に保持される状態情報のうちで当該ユーザに対応する状態情報を「勤務中」を示す情報（例えば、「１」）に切り替える。状態情報保持部２０２１に保持される状態情報はユーザ毎に管理されている。状態情報切替部２０１２はユーザＩＤ追加部２０１７を介して状態情報保持部２０２１に保持される状態情報の中から、ユーザにより入力されたユーザＩＤに基づいて、該当するユーザＩＤに対応する状態情報を切り替える。なお、ここでユーザにより入力されたユーザＩＤは、ユーザが情報端末１０２のＯＳにログインする際に入力受付部１０２２を操作することにより入力したユーザＩＤである。勤務中指示領域３０２が押下されるとさらに、表示画像生成部２０１１によって、「勤務中」を示すテーマにＯＳ（オペレーティングシステム）の表示形態が切り替えられる。具体的には、「勤務中」のテーマにおいて、表示画像生成部２０１１は、ウィンドウの表示形態を青系統の色で表示させ、背景画像として青系統の画像（例えば青空などの写真）を表示部１０２１に表示させる。本実施の形態では、状態情報保持部２０２１は、ＲＡＭ２０２中に設けられる。状態情報が、「勤務中」を示す情報に切り替えられると、情報送信部２０１５により「勤務中」を示す状態情報が管理サーバに送信され、さらに計測部２０１６により、その切り替えたタイミングが記録されるとともに、時間の計測が開始される。計測部２０１６としては、例えばＣＰＵ２０１中のタイマを用いることができる。
【００５６】
一方、入力受付部１０２２により、休憩中指示領域３０３が押下された場合、表示画像生成部２０１１よって状態情報表示領域３０１の表示が「休憩中」になるとともに、状態情報切替部２０１２が、状態情報保持部２０２１に保持される当該ユーザに対応する状態情報を「休憩中」を示す情報（例えば、「０」）に切り替える。休憩中指示領域３０３が押下されるとさらに、表示画像生成部２０１１によって、「休憩中」を示すテーマにＯＳの表示形態が切り替えられる。具体的には、「休憩中」のテーマにおいて、表示画像生成部２０１１は、ウィンドウの表示形態を赤系統の色で表示させ、背景画像として赤系統の画像（例えば夕焼け空などの写真）を表示部１０２１に表示させる。本実施の形態では、状態情報保持部２０２１に保持される情報が「勤務中」を示す情報である場合にだけ、画像キャプチャ部２０１３により、表示部１０２１の画面に表示されている画像データを予め定められた頻度でキャプチャする。キャプチャする頻度は、頻度情報として、予め頻度情報保持部２０２２に保持されており、例えば、「１時間に６回」という頻度でキャプチャするように設定されている。この頻度情報保持部２０２２は、ＲＡＭ２０２中に設けてユーザにより変更可能とすることもできるし、ＲＯＭ２０３中に設けてもよい。また、管理サーバ１０１の管理者が、管理サーバ１０１の側から画像キャプチャの頻度を設定するようにすることもできる。
【００５７】
なお、本実施の形態では、画像キャプチャリングにおける「頻度」とは、一定時間内に何回キャプチャを行うかであり、ランダムなタイミングで一定時間内に一定回数のキャプチャを行うことを示している。例えば、「1時間に６回」という頻度である場合、画像キャプチャ部２０１３は、乱数を用いることにより、７分後、１８分後、２１分後、３３分後、４２分後、５５分後、というように、事前に、ランダムな６回分（１時間分）のキャプチャリング時刻を決定し、その時刻になったら画像キャプチャを行う。これによって、ユーザが推測しにくいタイミングで画像がキャプチャされる。
【００５８】
ただし、本発明に係る情報伝達システムにおける画像キャプチャの頻度としては、このようなランダムなタイミングに限られず、一定時間間隔であってもよい。
【００５９】
キャプチャされた画像はユーザＩＤ追加部２０１７によりユーザのＩＤ情報が追加された上で画像保持部２０５１に保持される。画像保持部２０５１は、例えばＨＤＤ２０５内に設けることができる。画像保持部２０５１に保持されたデータは、所定のタイミングで情報送信部２０１５によって管理サーバ１０１へと送信される。送信のタイミングとしては、例えば、状態情報保持部２０２１に保持される状態情報が「勤務中」から「休憩中」に切り替わったときに送信することができるが、本発明はこれに限定されない。たとえば、一定のデータ容量あるいは一定個数の画像が蓄積されたとき、日付が更新されたとき、ユーザが指示したとき、管理サーバから要求されたとき等に送信してもよい。なお、画像保持部２０５１に保持する情報としては、キャプチャされた画像だけに限られず、これに代えて、キャプチャされた画像を圧縮したもの、キャプチャされた画像の解像度を小さくした縮小画像等であってもよい。
【００６０】
スクリーンセーバー動作検出部２０１４は、情報端末１０２において、スクリーンセーバーが動作を開始したこと、及び、動作を終了したことを検出する。通常、スクリーンセーバーは、一定時間、情報端末に対して何の操作もされない場合に起動するところ、入力操作を要する作業（例えば、データエントリー業務、ソフトウェアのコーディング等）であれば、スクリーンセーバーの動作開始を検出することにより、状態情報が「勤務中」であっても、ユーザが実際には勤務していない、というような事態（サボタージュ）を検出することができる。具体的には、スクリーンセーバー動作検出部２０１４は、状態情報が「勤務中」になっているときに、スクリーンセーバーの動作開始を検出した場合、一定の処理、たとえば、表示画像生成部２０１１に指示することよって「在席の有無」の確認画面を表示部１０２１にポップアップ表示させる処理を行う。これに対して、ユーザが入力受付部１０２２を介して「在席」している旨を通知した（例えば、確認画面におけるボタン「在席」を押した）場合には、スクリーンセーバー動作検出部２０１４は、状態情報を「勤務中」のまま維持し、一方、一定時間、入力受付部１０２２からの指示がない場合には、スクリーンセーバー動作検出部２０１４は、その旨を状態情報切替部２０１２に通知し、その通知を受けた状態情報切替部２０１２は、状態情報保持部２０２１に保持された状態情報（「勤務中」）を、「休憩中」を示す情報に切り替える。これと連動して、状態情報表示領域３０１の表示も「勤務中」から「休憩中」に切り替わり、またＯＳの表示形態も「休憩中」を示すテーマに切り替わる。
【００６１】
なお、上記「一定の処理」として、スクリーンセーバー動作検出部２０１４は、「在席の有無」の確認画面を表示し、一定時間入力がないことを確認したが、これ以外に、確認画面を表示することなく、単にスクリーンセーバーの動作が一定時間継続していることを確認してもよい。
【００６２】
一方、スクリーンセーバー動作検出部２０１４が、スクリーンセーバーが動作を終了したことを検出した場合、状態情報が「休憩中」である場合には、状態情報切替部２０１２は、状態情報を、「勤務中」を示す情報に切り替えてもよい。これと連動して、状態情報表示領域３０１の表示も「休憩中」から「勤務中」に切り替わる。もっとも、ユーザにより、休憩中指示領域３０３が押下された後の場合には、スクリーンセーバーの動作終了を検出しても状態情報を、「勤務中」を示す情報に切り替えないようにしてもよい。休憩中に、私用で情報端末を操作（インターネット上で買い物など）する場合もあるからである。具体的には、状態情報保持部２０２１に、ユーザが「休憩中」を指示することにより「休憩中」となったか、スクリーンセーバーの動作開始により「休憩中」となったかを保持しておき、スクリーンセーバーの動作開始によって「休憩中」となった場合にのみ、スクリーンセーバー動作終了時に、状態情報を「勤務中」に切り替えるようにすればよい。
【００６３】
状態情報が「勤務中」となって継続していた個々の時間（つまり、細切れの勤務時間、ただし、ｅラーニングシステムでは学習時間）は、計測部２０１６により計測され、計測された勤務時間の情報は、ユーザＩＤ追加部２０１７によってユーザのＩＤ情報が追加された上で勤務時間情報保持部２０５２に保持される。図５は、勤務時間情報保持部２０５２に保持される情報（勤務時間情報）の一例を示す図である。同図の例では、状態情報が「勤務中」に切り替わった時刻（「開始時刻」）、「勤務中」から「休憩中」に切り替わった時刻（「終了時刻」）、及び、「勤務中」として継続していた時間（「勤務時間」）が、その事象ごとに、保持されている。
【００６４】
なお、本実施の形態のように終了時刻の時点で勤務時間をも算出して保持するようにしておけば、後で行う集計（総勤務時間の算出）が迅速に行えるという利点があるが、このような方法以外に、勤務時間情報保持部２０５２では開始時刻及び終了時刻だけ保持しておき、個々の勤務時間については情報端末１０２又は管理サーバ１０１での集計時に算出するようにしてもよい。
【００６５】
また、計測部２０１６により、状態情報が「勤務中」となったタイミングから「勤務中」が継続している時間（つまり、連続勤務時間）が予め情報端末１０２又は管理サーバ１０１によって設定された所定の時間（例えば１時間３０分）を超えた場合に、表示部１０２１に休憩を促すメッセージを表示するような構成とすると、在宅就労者（ユーザ）の健康維持に有効である。つまり、この情報端末１０２に、状態情報保持部２０２１に保持されている状態情報が「勤務中」となったタイミングから「勤務中」が継続している時間である連続勤務時間を計測する連続勤務時間計測部と、連続勤務時間が所定の時間を超えた場合に、その旨を示す情報を当該情報端末１０２の表示部１０２１に表示させる連続勤務画像表示部とを設けてもよい。
【００６６】
ユーザＩＤ追加部２０１７は、ユーザを識別するためのユーザＩＤを、状態情報、計測部２０１６により計測された勤務時間の情報、及び画像キャプチャ部２０１３がキャプチャした画像（ここでは、キャプチャされた画像、あるいは、その縮小画像等）に追加する。つまり、状態情報保持部２０２１に保持される状態情報、勤務時間情報保持部２０５２に保持される勤務時間の情報、及び画像保持部２０５１に保持される画像には、ユーザＩＤが含まれる。なお、ユーザＩＤは、上述のＯＳのログイン時に入力するものに限るものではなく、ＯＳにログインするＩＤとは別に設けてもよく、例えばアプリケーション上においてユーザＩＤの入力を求めてもよい。
【００６７】
情報送信部２０１５は、ＮＩＣ２０４及びネットワーク１０３を介して、管理サーバ１０１にデータを送信する。具体的には、情報送信部２０１５は、状態情報保持部２０２１に保持されている状態情報、勤務時間情報保持部２０５２に保持されている勤務時間情報、及び画像保持部２０５１に保持されている画像に関する情報（ここでは、キャプチャされた画像、あるいは、その縮小画像等）を管理サーバ１０１に送信する。情報送信部２０１５は、状態情報が「休憩中」から「勤務中」に切り替わったときと、「勤務中」から「休憩中」に切り替わったときとにおいて、状態情報を管理サーバ１０１に送信する。なお、管理サーバ１０１への情報送信プロトコルは特に限定されず、ＨＴＴＰ、ＨＴＴＰＳ等のプロトコルでの転送、ＳＭＴＰ等のプロトコルを用いてメール送信、あるいはメール添付の形式で送信するようにしてもよい。また、管理サーバ１０１の側からＦＴＰ、ＴＥＬＮＥＴ等のプロトコルで情報端末１０２からデータを取得するような形態も可能である。
【００６８】
また、情報送信部２０１５は、状態情報保持部２０２１に保持されている状態情報が「勤務中」となっている場合に、入力受付部１０２２がユーザから第１の入力を受け付けると、勤務開始情報を予め指定された送信先に送信する。情報送信部２０１５はまた、状態情報保持部２０２１に保持されている状態情報が「休憩中」となっている場合に、入力受付部１０２２がユーザから第２の入力を受け付けると、勤務終了情報を予め指定された送信先に送信する。例えば、ユーザは、第１の入力あるいは第２の入力として入力受付部（例えばマウス）１０２２を用いてメッセージ指示領域３０４を押下する。メッセージ指示領域３０４が押下されると、情報送信部２０１５は、状態情報保持部２０２１に保持されている状態情報が「勤務中」であれば勤務開始を示すメッセージを予め指定された送信先（例えば、当該ユーザの上司（管理者またはチェック者）のメールアドレス）に自動的に送信し、状態情報保持部２０２１に保持されている状態情報が「休憩中」であれば勤務終了を示すメッセージを上司のメールアドレスに自動的に送信する。勤務開始を示すメッセージは、例えば、「これから勤務を開始します。」であり、勤務終了を示すメッセージは、例えば、「これで勤務を終了します。」である。なお、このメッセージは電子メールで送信されてもよいし、インスタントメッセージ機能を有するアプリケーションにより送信されてもよい。
【００６９】
なお、上述の第１の入力と第２の入力とは、メッセージ指示領域３０４を入力受付部１０２２において押下することであり、第１の入力及び第２の入力は共通であるが、これに限らない。例えば、メッセージ指示領域３０４として、勤務開始メッセージ指示領域（図示せず）と勤務終了メッセージ指示領域（図示せず）とを分けて設けることにより、ユーザが入力受付部１０２２により勤務開始メッセージ指示領域を押下することを第１の入力とし、ユーザが入力受付部１０２２により勤務終了メッセージ指示領域を押下することを第２の入力としてもよい。また、この場合には、勤務開始の際に、ユーザが勤務中指示領域３０２を押下しなくとも勤務開始メッセージ指示領域を押下するのみで、状態情報切替部２０１２が状態情報保持部２０２１に保持される状態情報を「勤務中」に示す情報に切り替えてもよい。また、同様の場合であって勤務終了の際に、ユーザが休憩中指示領域３０３を押下しなくとも勤務終了メッセージ指示領域を押下するのみで、状態情報切替部２０１２が状態情報保持部２０２１に保持される状態情報を「休憩中」に示す情報に切り替えてもよい。
【００７０】
以上のような情報端末１０２での管理機能は、情報端末１０２で常駐して動作するコンピュータプログラムとして実現され得る。以下、その具体的な処理内容の一例について説明する。本実施の形態では、情報端末１０２の電源がオンとされ、ＯＳが起動する際に、本実施の形態のコンピュータプログラムも動作を開始する。プログラムの動作開始の際に、状態情報保持部２０２１に保持された状態情報の値は、初期値として「休憩中」が設定され、表示画面の状態情報表示領域３０１の表示も「休憩中」となる。
【００７１】
ユーザにより、勤務中指示領域３０２が押下された場合に、「勤務中指示領域押下時処理」が開始する。図６は、勤務中指示領域押下時処理の内容の一例について説明するためのフローチャートである。
【００７２】
勤務中指示領域押下時処理では、まず、状態情報切替部２０１２が、状態情報保持部２０２１に保持された状態情報の値を、「勤務中」を表す情報に書き替える（Ｓ１０１）。これにより、表示画像生成部２０１１よって表示部１０２１の状態情報表示領域３０１の表示が「勤務中」に切り替わる。そして同時に、表示画像生成部２０１１によって、表示部１０２１に表示されるＯＳのテーマが「勤務中」を示すテーマに切り替わる。次に、情報送信部２０１５が状態情報保持部２０２１に保持された状態情報を管理サーバ１０１に送信する（Ｓ１０２）。その後、計測部２０１６による勤務時間の計測を開始する（Ｓ１０３）。
【００７３】
ユーザにより、メッセージ指示領域３０４が押下された場合（Ｓ１０４：ＹＥＳ）には、勤務開始情報として勤務開始を示すメッセージが予め指定された送信先に送信される（Ｓ１０５）。それ以外の場合（Ｓ１０４：ＮＯ）であって、ユーザにより、休憩中指示領域３０３が押下された場合（Ｓ１０６：ＹＥＳ）には、後述する「休憩中指示領域押下時処理」が開始する（Ｓ１０７）。さらにそれ以外の場合（Ｓ１０６：ＮＯ）であって、頻度情報保持部２０２２に保持される頻度情報で定まる時刻が到来した場合（Ｓ１０８：ＹＥＳ）には、画像キャプチャ部２０１３により、表示部１０２１に表示されている画像をキャプチャする（Ｓ１０９）。ステップＳ１０８で画像キャプチャを行うべき時刻が到来していない場合（Ｓ１０８：ＮＯ）にはステップＳ１０６へと戻る。勤務中の状態が所定時間以上継続した場合には（Ｓ１１０：ＹＥＳ）、表示画像生成部２０１１が、その旨のメッセージを表示部１０２１に表示する（Ｓ１１１）。
【００７４】
図７は、休憩中指示領域押下時処理の内容の一例について説明するためのフローチャートである。休憩中指示領域押下時処理では、まず、状態情報切替部２０１２が、状態情報保持部２０２１に保持された状態情報の値を、「休憩中」を表す情報に書き替える（Ｓ２０１）。これにより、表示画像生成部２０１１によって表示部１０２１の状態情報表示領域３０１の表示が「休憩中」に切り替わる。そして同時に、表示画像生成部２０１１によって、表示部１０２１に表示されるOＳのテーマが「休憩中」を示すテーマに切り替わる。次に、計測部２０１６による勤務時間の計測を終了し（Ｓ２０２）、勤務時間情報保持部２０５２に、勤務時間情報の書き込みを行う（Ｓ２０３）。本実施の形態では、休憩中指示領域３０３が押下された場合に、その時の状態情報と、その１回の勤務（状態情報が「勤務中」になってから「休憩中」になるまでの期間）に関する勤務時間情報と、その勤務においてキャプチャされた全ての画像データを情報送信部２０１５が管理サーバ１０１に送信する（Ｓ２０４）。
【００７５】
図８は、情報端末１０２と、管理サーバ１０１との間の通信シーケンスの一例を示す図であり、本実施の形態では、勤務の開始前に、あるいは、任意のタイミングで、管理サーバ１０１から情報端末１０２に対して、画像のキャプチャを行う頻度を指定する（Ｓ１０、Ｓ２０）。そして、状態情報が「勤務中」を示す情報である場合に、情報端末１０２において画像キャプチャを行い、休憩中指示領域３０３が押下される度に、その１回の勤務に関わる勤務時間情報と、その勤務中に蓄積された画像データとが管理サーバ１０１に送信される（Ｓ１１、Ｓ１２、Ｓ２１）。
【００７６】
再び図７のフローチャートを参照して、ユーザにより、メッセージ指示領域３０４が押下された場合（Ｓ２０５：ＹＥＳ）には、勤務終了情報として勤務終了を示すメッセージが予め指定された送信先に送信される（Ｓ２０６）。それ以外の場合（Ｓ２０５：ＮＯ）であって、ユーザにより、勤務中指示領域３０２が押下された場合（Ｓ２０７：ＹＥＳ）には、図６に例示した勤務中指示領域押下時処理へと戻る。なお、状態情報が「勤務中」を示す情報である場合に、情報端末１０２の電源がオフとされたときには、基本的には、休憩中指示領域押下時処理と同様の処理（例えばステップＳ２０２からステップＳ２０４までの処理）及び勤務終了を示すメッセージの送信処理（Ｓ２０６）を行ってから電源をオフとする。電源オフの場合には、状態情報保持部２０２１の内容の書き替え（Ｓ２０１）は割愛しても構わない。例えば、状態情報保持部２０２１が不揮発性メモリに設けられる場合であっても、前述したように、再度電源がオンされた場合に、初期化段階で、状態情報が「休憩中」を表す情報に設定されるからである。
【００７７】
次に、本実施の形態における管理サーバ１０１の処理について説明する。図９は、管理サーバ１０１の構成の一例を示す機能ブロック図である。なお、ハードウェア構成については、図２に示した情報端末１０２の構成と略同一であり、図２の情報端末１０２の符号の２００番台を４００番台に置き換えたものであるから、ここでの詳細な説明は省略する。
【００７８】
管理サーバ１０１は、情報端末１０２と同様に表示部１０１１を備えており（図１参照）、管理者の操作により、ユーザの勤務時間の集計結果を閲覧したり、情報端末１０２の画面の画像データを閲覧したりすることができる。管理サーバ１０１にも、キーボード、マウス等の入力受付部１０１２（図９参照）を備えているが、図１では図示を省略している。図９は、管理サーバ１０１の構成の一例について説明するための機能ブロック図である。
【００７９】
同図９に示されるように、本実施の形態の管理サーバ１０１は、表示画像生成部４０１１、情報送受信部４０１２、情報検索部４０１１ｄ、キャプチャ指令部４０１４、集計時間設定部４０１３、画像保持部４０５１、勤務時間情報保持部４０５２、状態情報保持部４０５３、及びユーザ情報保持部４０５４を備えている。
【００８０】
情報送受信部４０１２は、ネットワーク１０３を介して情報端末１０２から送信されてきた状態情報、勤務時間情報、及び情報端末１０２にてキャプチャされた画像のデータを、ＮＩＣ４０４を介して受信し、画像保持部４０５１、勤務時間情報保持部４０５２、及び状態情報保持部４０５３に格納する。
【００８１】
集計時間設定部４０１３は、後述する集計部４０１１ａが累計値の算出を開始する時間である集計開始時間と、集計部４０１１ａが累計値の累計を算出する累計期間とを、管理者からの入力に基づいて設定する。
【００８２】
キャプチャ指令部４０１４は、管理者からの入力受付部１０１２による入力に従い、指定された情報端末１０２に対してキャプチャ指令を出力する。情報送受信部４０１２はまた、指定された情報端末１０２にキャプチャ指令部４０１４から出力されたキャプチャ指令を送信する（後述参照）。
【００８３】
情報送受信部４０１２が受信した状態情報、勤務時間情報、及び画像データは、それぞれ状態情報保持部４０５３、勤務時間情報保持部４０５２、画像保持部４０５１に格納される。また、ユーザ情報保持部４０５４は、ユーザＩＤと、ユーザを複数のグループ毎に分類するグループＩＤと、権限情報と、有効／無効情報と、パスワードとを関連付けたユーザ情報を保持する。勤務時間情報保持部４０５２、画像保持部４０５１、状態情報保持部４０５３、及びユーザ情報保持部４０５４は、本実施の形態では、管理サーバ１０１に備えられるＨＤＤ４０５に設けられる。なお、ここに言う「権限情報」とは、ここで管理される広義のユーザが管理者、チェック者、又はユーザ（在宅就労者）のいずれかであることを識別するための情報である。なお、広義のユーザとは、管理者、チェック者、およびユーザ（在宅就労者）全てを含む本実施形態の情報伝達システムを利用する人を指し、「広義の」と指定しない単なるユーザについては在宅就労者を指す。ここに言う「有効／無効情報」とは、例えばユーザが退職したときに、当該ユーザの情報が無効であることを示すための情報であり、ユーザが在職中であれば有効／無効情報は「有効」となる。
【００８４】
表示画像生成部４０１１は、表示部１０１１への表示画像を生成する処理部であり、表示に先立つ集計を行う集計部４０１１ａと、時間判定部４０１１ｂと、管理者判定部４０１１ｃと、情報検索部４０１１ｄとを有する。そして、この表示画像生成部４０１１は、情報端末１０２から送信されてきた状態情報、勤務時間情報、画像のデータをユーザＩＤ毎に表示部１０１１に表示させる。
【００８５】
集計部４０１１ａは、情報端末１０２から送信されてきた状態情報に関する情報（ここでは、勤務時間情報）に基づいて、当該情報端末１０２が備える状態情報保持部２０２１に保持されている状態情報が「勤務中」として継続していた時間（つまり、勤務時間情報における「勤務時間」）の累計値（総勤務時間）を算出する。なお、この累計値は、本実施形態では、カレンダーにおける直近の月曜日から金曜日までの５日間のような所定期間における勤務時間の累計値として初期設定されている。なお、ここにいう「カレンダーにおける直近の月曜日から金曜日までの５日間」とは、その日の前の週の月曜日から金曜日までの５日間を指しており、２０１１年１月２５日の時点を例にして説明すると、この場合は２０１１年１月１７日から１月２１日までの５日間における総勤務時間が累計値として算出されることになる。なお、累計値の算出にかかる所定期間は、上記のような１週間単位（本実施形態では、勤務日のみを算出するため５日間となる）に限らずに、１日（つまり２４時間）単位や、１０日間単位、２週間単位、１ヶ月単位などであってもよい。また、集計部は集計時間設定部４０１３により設定される集計開始時間から累計値の算出（累計）を開始し、集計開始時間から累計期間が経過すると累計値の算出（累計）を終了して１つの単位とする。つまり、管理者からの入力に基づいて、集計時間設定部は、累計期間として上述した１週間ような所定期間を設定する。また、管理者からの入力に基づいて、集計時間設定部４０１３は、累計を行う集計開始時間を例えば午前０時などに設定する。集計開始時間は、本実施形態では、全てのユーザについて初期設定として０時に設定されている。管理者は、入力を行うことで集計時間設定部４０１３にユーザ毎に異なる集計開始時間（例えば、２３時、１時、２時など）の設定を行うことができる。
【００８６】
時間判定部４０１１ｂは、集計部４０１１ａが算出した所定期間中における累計値が所定値を超えているか否かを判定する。本実施形態では、時間判定部４０１１ｂは、カレンダーにおける直近の月曜日から金曜日までの５日間における累計値（総勤務時間）が５０時間（所定値）を超えているか否かを判定する。時間判定部４０１１ｂの当該判定により５日間の総勤務時間が５０時間を超えていると判定されたユーザが一目で判別できるように、表示画像生成部４０１１は、ユーザの総勤務時間を表す情報に加えて、オーバーワークを示す情報として時間判定部４０１１ｂによる判定の結果を表示部１０１１に表示させる。
【００８７】
また、オーバーワークを判定するための所定値については、上述のような１週間単位の総勤務時間に対して５０時間とすることに限らずに、例えば４５時間であってもよいし、５５時間や６０時間などであってもよく、管理者が任意の時間に設定可能である。また、オーバーワークを判定するための所定値は、総勤務時間の算出に基づく日数によって異なり、１日当たりの勤務時間の平均を設定しておいて、１日あたりの勤務時間の平均から算出するようにしてもよい。なお、上述の場合においては、総勤務時間の算出に基づく日数が５日間であり、５０時間がオーバーワークを判定するための所定値となっているため、１日当たりの平均値として１０時間と設定することによりオーバーワークを判定させてもよい。したがって、このように１日当たりの平均値を１０時間と設定した場合であって、例えば１ヶ月単位で所定の勤務日が２０日間である場合には、所定値は１０時間に２０日間を乗ずることにより算出され、２００時間となる。
【００８８】
管理者判定部４０１１ｃは、管理サーバ１０１にログインした（広義の）管理者が第１の管理者であるか第２の管理者であるかを判定する。つまり、管理者判定部４０１１ｃは、管理サーバ１０１において管理者が入力受付部１０１２を操作することにより入力したユーザＩＤに基づいて、当該管理者が全てのユーザ情報を閲覧できる第２の管理者であるか、縮小画像のデータのみを閲覧できる第１の管理者としてのチェック者であるかを判定する。そして、管理者判定部４０１１ｃが第２の管理者であると判定した場合に、表示画像生成部４０１１は全てのユーザ情報を閲覧可能になるフロントページである管理者画面５１０（図１３）を表示部１０１１に表示させる。一方で、管理者判定部４０１１ｃが第１の管理者（チェック者）であると判定した場合に、表示画像生成部４０１１は、情報端末１０２の各々から送信されてきた情報のうちで縮小された画像に関する情報（縮小画像のデータ）のみを閲覧可能になるフロントページであるチェック者画面５８０（図２０）を表示部１０１１に表示させる。このとき表示画像生成部４０１１は、第１の管理者（チェック者）の選択を受け付ける状態で縮小画像のデータを表示部１０１１に表示させる。具体的には、表示画像生成部４０１１は、縮小画像の右側にチェック者が押すことが可能な送信ボタンを表示させ、チェック者が送信ボタンを押す（つまり、当該入力により選択を受け付ける）と情報送受信部は、チェック者により選択された縮小画像のデータに関する情報（つまり元の拡大画像のデータ）を確認することを管理者に促すメッセージを送信する。
【００８９】
情報検索部４０１１ｄは、情報保持部が保持する状態情報に関する情報、及び、画像に関する情報から、ユーザＩＤ、グループＩＤ、又は所定期間中における累計値の内の少なくとも１つを管理者の入力に基づいて検索し、当該検索の結果を表示部１０１１に表示させる。例えば、情報検索部４０１１ｄは、グループに関する入力を行うことにより管理者により選択されたグループと、ユーザ情報保持部４０５４に保持されているユーザ情報とに基づいて、選択されたグループに属するユーザＩＤに対応する情報端末の各々から送信されてきた状態情報に関する情報、画像に関する情報、又は集計結果を表す情報をグループ毎に表示部１０１１に表示させる。なお、ここで「所定期間中における累計値」の所定期間については、管理者が管理サーバ１０１において指定した期間となる。
【００９０】
次に、管理サーバ１０１において、表示画像生成部４０１１が表示部１０１１に表示させる画像について、図１０〜２０に基づいて説明する。以下、管理サーバ１０１の表示部１０１１に表示される管理アプリケーション上で、「ｘｘボタンを押す」という表現を使うが、この表現は管理者又はチェック者がポインティングデバイスなどの入力受付部１０１２を操作することによりクリックする動作のことを指す。
【００９１】
図１０は、ユーザＩＤ入力画面５００を示す図である。まず、管理サーバ１０１では、広義の管理者が端末上で例えば管理アプリケーションを実行すると、ユーザＩＤ入力欄５０１と、パスワード入力欄５０２と、ログインボタン５０３とがユーザＩＤ入力画面５００として図１０に示すように表示される。広義の管理者は、ユーザＩＤ入力欄５０１と、パスワード入力欄５０２とにおいて、入力受付部１０１２（ここではキーボード）を操作することにより所定のユーザＩＤ及びパスワードを入力して、ログインボタン５０３を押す。ログインボタン５０３を押下されると、管理サーバ１０１では、管理者判定部４０１１ｃがユーザＩＤ入力欄５０１に入力されたユーザＩＤとパスワード入力欄５０２に入力されたパスワードとに基づいて、当該ユーザＩＤ及びパスワードを入力した広義の管理者が正規の管理者であるか否かを判定する。なお、管理者判定部４０１１ｃは、ユーザ情報保持部４０５４に保持されるユーザ情報に基づいて当該広義の管理者が管理者であるか否かを判定する。なお、ここで、パスワード入力欄５０２に入力されたパスワードが誤っていると判定されると、ユーザＩＤ又はパスワードが誤っている旨のメッセージが表示される。なお、ユーザＩＤ入力画面５００は管理アプリケーションを実行する事により表示されるが、独自の管理アプリケーションを実行する携帯に限らずに、例えばブラウザにより所定のＨＴＭＬファイルを閲覧したときに表示させる形態であってもよい。
【００９２】
図１１は、管理者画面５１０を示す図である。ユーザＩＤ入力画面５００においてユーザＩＤ入力欄５０１に入力されたユーザＩＤが管理者であって、かつ、パスワード入力欄５０２に入力されたパスワードが正しいと管理者判定部４０１１ｃにより判定されると、図１１に示すような、管理者画面５１０が表示される。管理者画面５１０では、ユーザステータス表示ボタン５１１と、ユーザ一覧ボタン５１２と、ユーザ検索ボタン５１３と、戻ボタン５１４とが表示される。管理者がユーザステータス表示ボタン５１１を押すと、表示画像生成部４０１１は、ユーザステータス画面５２０（図１２参照）を表示させる。また、管理者がユーザ一覧ボタン５１２を押すと、表示画像生成部４０１１は、ユーザ一覧画面５３０（図１３参照）を表示させる。また、管理者がユーザ検索ボタン５１３を押すと、表示画像生成部４０１１は、ユーザ検索画面５６０（図１６参照）を表示させる。なお、管理者が戻ボタン５１４を押すと、表示画像生成部４０１１は、ユーザＩＤ入力画面５００を表示させる。
【００９３】
図１２は、ユーザステータス画面５２０を示す図である。ユーザステータス画面５２０では、図１２に示すように、状態情報フィールド５２１と、ユーザ名フィールド５２２と、直近の１週間（平日の５日間）における勤務時間累計フィールド５２３と、オーバーワーク表示フィールド５２４とが表示される。つまり、表示画像生成部４０１１は、ユーザステータス画面５２０として、状態情報と、直近の１週間における勤務時間累計と、オーバーワーク表示とを、ユーザ毎に表示部１０１１に表示させる。各ユーザの状態情報フィールド５２１は、在席中フィールド５２１ａ、離席中フィールド５２１ｂ、及びログアウト中フィールド５２１ｃの３つのフィールドにさらに分かれて表示される。これらの３つのフィールドのうちの該当する箇所に黒丸が表示されることにより、ユーザの状態情報が示される。具体的には、在席中フィールド５２１ａに黒丸が表示されると、当該ユーザは「勤務中」であることを示す。また、離席中フィールド５２１ｂに黒丸が表示されると、当該ユーザは「休憩中」であることを示す。また、ログアウト中フィールド５２１ｃに黒丸が表示されると、当該ユーザは勤務開始前、勤務終了後、又は非勤務日のいずれかであることを示す。また、直近の１週間における勤務時間累計フィールド５２３では、集計部４０１１ａにより算出された累計値（総勤務時間）が表示される。オーバーワーク表示フィールド５２４においては、時間判定部４０１１ｂによってユーザがオーバーワークであるか否かの判定結果が表示される。具体的には、集計部４０１１ａが集計した直近の１週間における勤務時間累計が５０時間を超えているか否かを時間判定部４０１１ｂが判定し、直近の勤務時間累計が５０時間を超えているユーザのオーバーワーク表示フィールド５２４にオーバーワークであることを示すチェックマークを表示画像生成部４０１１が表示させる。この時、該当するユーザのユーザ名、勤務時間累計フィールド、及びオーバーワーク表示フィールドは、黄色のハイライト（図ではグレー）により強調されて表示される。なお、この強調表示は、黄色のハイライトに限らずに、別の色のハイライト表示であってもよいし、文字の色を赤などの別の色に変える表示であってもよいし、文字の字体を例えば太字に変えるなどであってもよい。また、ユーザステータス画面５２０には、戻ボタン５２５が表示されており、管理者が戻ボタン５２５を押すと、管理者画面５１０に戻る。
【００９４】
図１３は、ユーザ一覧画面５３０を示す図である。管理者は、管理者画面５１０においてユーザ一覧ボタン５１２を押すと、図１３に示すようなユーザ一覧画面５３０が表示される。ユーザ一覧画面５３０では、グループフィールド５３１と、ユーザフィールド５３２と、権限フィールド５３３と、有効／無効フィールド５３４と、ユーザ情報フィールド５３５と、ＩＮ／ＯＵＴ情報フィールド５３６と、キャプチャ情報フィールド５３７と、キャプチャ指令フィールド５３８とがユーザ毎に表示され、さらに戻ボタン５３９が表示される。グループフィールド５３１には、ユーザ情報保持部４０５４に保持されるユーザ情報に基づいてユーザが属しているグループが表示される。なお、図１５に示すように、グループには本実施形態では「北海道」、「東京」、「大阪」などがあり、グループはユーザを所属している地域毎に分類している。このグループは、管理者が自由に設定可能である。また、ユーザフィールド５３２は、ユーザＩＤフィールド５３２ａとユーザ名フィールド５３２ｂとにさらに分かれて表示される。ユーザＩＤフィールド５３２ａにはユーザＩＤが表示される。ユーザ名フィールド５３２ｂにはユーザ名が表示される。権限フィールド５３３には、上述した権限情報が表示される。有効／無効フィールド５３４には、有効／無効情報が「有効」であるか、「無効」であるかが表示される。
【００９５】
ユーザ情報フィールド５３５には、ユーザ毎にユーザ情報編集ボタン５３５ａが表示される。管理者がユーザ情報編集ボタン５３５ａを押すと、当該ユーザに関する住所、電話番号などの個人情報や、権限の属性、有効／無効属性などを設定する画面（図示せず）が表示され、管理者はその画面においてユーザの各種情報の入力をすることができるようになっている。
【００９６】
ＩＮ／ＯＵＴ情報フィールド５３６には、ユーザ毎にＩＮ／ＯＵＴ情報閲覧ボタン５３６ａが表示される。管理者がＩＮ／ＯＵＴ情報閲覧ボタン５３６ａを押すと、当該ユーザにおける、例えば図１４に示すようなその日（「２０１０年５月３０日」）の情報端末１０２側での勤務中の時間帯、休憩中の時間帯がグラフのように分かりやすく表示される。
【００９７】
キャプチャ情報フィールド５３７には、ユーザ毎にキャプチャ情報閲覧ボタン５３７ａが表示される。管理者がキャプチャ情報閲覧ボタン５３７ａを押すと、当該ユーザにおける、例えば図１５に示すようなその日（「２０１０年５月３０日」）の情報端末１０２側の画像キャプチャ部２０１３によりキャプチャされた画像の縮小画像の一覧がキャプチャ情報閲覧画面５５０として表示される。
【００９８】
キャプチャ指令フィールド５３８には、ユーザ毎にキャプチャ指令ボタン５３８ａが表示される。管理者がキャプチャ指令ボタン５３８ａを押すと、管理サーバ後述するキャプチャ指令を当該ユーザの情報端末１０２に送信する。
【００９９】
管理者は、ユーザ一覧画面５３０においてＩＮ／ＯＵＴ情報閲覧ボタン５３６ａを押すと、図１４に示すようなＩＮ／ＯＵＴ情報画面５４０が表示される。ＩＮ／ＯＵＴ情報画面５４０は、管理者が指定した一日（「２０１０年５月３０日」）における情報端末１０２側での勤務中の時間帯、休憩中の時間帯がグラフのように分かりやすく表示される。ＩＮ／ＯＵＴ情報画面５４０には、さらに、キャプチャ情報閲覧ボタン５４１と、キャプチャ指令ボタン５４２と、戻るボタン５４３とが表示される。キャプチャ情報閲覧ボタン５４１と、キャプチャ指令ボタン５４２とは、ユーザ一覧画面５３０で説明した各ボタン５４１、５４２と同様であるためここでは説明を省略する。なお、管理者が戻るボタン５４３を押すとユーザ一覧画面５３０に戻る。また、ここには、画像がキャプチャリングされたタイミングや、情報端末１０２が起動していた時間帯（「ＰＣの起動」）も併せて表示されている。なお、画像がキャプチャリングされたタイミングについては、キャプチャリングされた画像に付随している時刻情報から特定し、情報端末１０２が起動していた時間帯については、勤務時間情報と併せて、情報端末１０２が起動していた時間情報を情報端末１０２から読み出して取得することで、特定することができる。
【０１００】
図１５は、キャプチャ情報閲覧画面５５０を示す図である。キャプチャ情報閲覧画面５５０では、図１５に示すように、ユーザ一覧ボタン５５１、ＩＮ／ＯＵＴ時間一覧ボタン５５２、キャプチャ指令ボタン５５３、日付指定受付欄５５４、カレンダーボタン５５５、更新ボタン５５６、縮小画像群５５７、及び戻ボタン５５８が表示される。ユーザ一覧ボタン５５１は、ユーザ一覧画面５３０に遷移するためのボタンであり、管理者がユーザ一覧ボタン５５１を押すと、ユーザ一覧画面５３０が表示される。ＩＮ／ＯＵＴ時間一覧ボタン５５２は、ＩＮ／ＯＵＴ情報画面５４０に遷移するためのボタンであり、管理者がＩＮ／ＯＵＴ時間一覧ボタン５５２を押すと、ＩＮ／ＯＵＴ情報画面５４０を表示させる。キャプチャ指令ボタン５５３は、後述するキャプチャ指令を当該ユーザの情報端末１０２に送信するためのボタンである。日付指定受付欄５５４では、管理者が当該ユーザのその日以外の日（ここでは、２０１１年１月１４日以外の日）におけるキャプチャ画像を閲覧する際に日付を指定することができる。カレンダーボタン５５５は、カレンダーを表示させるためのボタンである。ここで、管理者がカレンダーボタン５５５を押すことによって表示されたカレンダーにおいて日付を選択する入力を行うことは、日付指定受付欄５５４において日付を指定するのと同義である。更新ボタン５５６は、日付指定受付欄５５４又はカレンダーボタン５５５によって指定された日付における縮小画像を表示させるためのボタンであり、管理者が更新ボタン５５６を押すと当該指定された日付における縮小画像が表示される。縮小画像群５５７は、キャプチャされた画像の縮小画像である。なお、縮小画像群５５７の下方には、当該縮小画像がキャプチャされた時間が縮小画像毎に表示される。管理者が縮小画像群５５７の一つを選択してクリックすると、表示画像生成部４０１１は管理者に選択された縮小画像の拡大画像（つまり、縮小前の元のキャプチャされた画像）を表示部１０１１に表示させる。また、戻ボタン５５８は、ユーザ一覧画面５３０に遷移するためのボタンであり、管理者が戻ボタン５５８を押すと、ユーザ一覧画面５３０が表示される。
【０１０１】
図１６は、ユーザ検索画面５６０を示す図である。管理者は、管理者画面５１０においてユーザ検索ボタン５１３を押すと、表示画像生成部４０１１の情報検索部４０１１ｄは、図１６に示すようなユーザ検索画面５６０を表示させる。ユーザ検索画面５６０では、氏名入力欄５６１、グループ入力欄５６２、属性選択欄５６３、有効／無効選択欄５６４、所定期間における累計勤務時間入力欄５６５、キャプチャ設定枚数入力欄５６６、検索開始ボタン５６７、及び戻ボタン５６８が表示される。ユーザ検索画面５６０では、氏名入力欄５６１、グループ入力欄５６２、属性選択欄５６３、有効／無効選択欄５６４、所定期間における累計勤務時間入力欄５６５、及びキャプチャ設定枚数入力欄５６６の少なくとも１つにおいて、管理者が入力を行って検索開始ボタン５６７を押すことにより、情報検索部４０１１ｄが画像保持部４０５１、勤務時間情報保持部４０５２、状態情報保持部４０５３、及びユーザ情報保持部４０５４に保持されている勤務時間情報、画像データ、状態情報、及びユーザ情報から当該入力に基づいた検索を開始する。そして、情報検索部４０１１ｄによる検索の結果が例えば図１７の検索結果画面５７０のように表示させる。
【０１０２】
以下、各入力欄及び選択欄５６１〜５６６について説明する。氏名入力欄５６１は、この入力欄に入力された文字列に基づいて、登録されているユーザの氏名に該当するユーザの各種情報（状態情報や画像情報など）を検索し抽出するための入力欄である。グループ入力欄５６２は、この入力欄に入力された文字列に基づいて、登録されているユーザのグループに該当するユーザを検索し抽出するための入力欄である。属性選択欄５６３は、ユーザが管理者であるか一般ユーザであるかを指定するための選択欄である。有効／無効選択欄５６４は、そのユーザの情報が有効であるか無効であるかを指定するための選択欄である。所定期間における累計勤務時間入力欄５６５は、指定された期間中の累計勤務時間が指定された勤務時間を超えているユーザを検索し抽出するための入力欄である。キャプチャ設定枚数入力欄５６６は、この入力欄において指定された１時間当たりのキャプチャ枚数を超えるキャプチャ設定枚数が設定されているユーザを検索し抽出するための入力欄である。
【０１０３】
また、検索開始ボタン５６７は、各種入力欄及び選択欄５６１〜５６６において指定された情報に基づいて、ユーザ情報から検索を開始するためのボタンである。また、ユーザ検索画面５６０には、戻ボタン５６８が表示されており、管理者が戻ボタン５６８を押すと、管理者画面５１０に戻る。
【０１０４】
図１７は、検索結果画面５７０を示す図である。ユーザ検索画面５６０において検索開始ボタン５６７が管理者によって押されると、表示画像生成部４０１１の情報検索部４０１１ｄは、図１７に示すような検索結果画面５７０を表示させる。検索結果画面５７０では、ユーザ検索画面５６０の各入力欄及び選択欄５６１〜５６６に管理者によって入力された情報に基づいて情報検索部４０１１ｄが検索した結果のユーザが抽出して表示される。ユーザ検索画面５６０では、ユーザ一覧画面５３０と同様にユーザ一覧画面５３０の各フィールド５３１〜５３８に対応する複数のフィールド５７１〜５７８が表示され、ユーザ検索画面５６０において入力された情報に該当するユーザが抽出して表示される。
【０１０５】
検索結果画面５７０には、グループフィールド５７１と、ユーザフィールド５７２と、権限フィールド５７３と、有効／無効フィールド５７４と、ユーザ情報フィールド５７５と、ＩＮ／ＯＵＴ情報フィールド５７６と、キャプチャ情報フィールド５７７と、キャプチャ指令フィールド５７８とが表示され、さらに戻ボタン５７９が表示される。また、ユーザフィールド５７２は、ユーザＩＤフィールド５７２ａとユーザ名フィールド５７２ｂとに分かれて表示される。検索結果画面５７０において表示される各フィールド５７１〜５７８はユーザ一覧画面５３０で説明した各フィールド５３１〜５３８と同様であるためここでは説明を省略する。また、ユーザ情報フィールド５７５に表示されるユーザ情報編集ボタン５７５ａと、ＩＮ／ＯＵＴ情報フィールド５７６に表示されるＩＮ／ＯＵＴ情報閲覧ボタン５７６ａと、キャプチャ情報フィールド５７７に表示されるキャプチャ情報閲覧ボタン５７７ａと、キャプチャ指令フィールド５７８に表示されるキャプチャ指令ボタン５７８ａとについても、ユーザ一覧画面５３０で説明した各ボタン５３５ａ〜５３８ａと同様であるためここでは説明を省略する。
【０１０６】
このように、氏名、グループ、属性情報、有効／無効情報、所定期間における累計勤務時間、又はキャプチャ設定枚数の内の少なくとも１つを管理者の入力に基づいて検索することができるため、管理者が確認したい情報をすぐに閲覧することができる。また、条件毎にユーザを抽出することができるため、ユーザの管理が容易になる。
【０１０７】
なお、ここでは、氏名やグループをそのまま入力して検索しているが、これに限らず、氏名の代わりにユーザＩＤで検索できるようにしてもよいし、グループの代わりにグループＩＤで検索できるようにしてもよい。なお、戻ボタン５７９についてはユーザ一覧画面５３０の戻ボタン５３９とは異なり、管理者が戻ボタン５７９を押すとユーザ検索画面５６０に戻る。管理者が検索結果画面５７０において戻ボタン５７９を押してユーザ検索画面５６０に戻ったときには、ユーザ検索画面５６０において最後に入力した結果を残しておくことが望ましい。なぜなら、戻ボタン５７９を押してユーザ検索画面５６０に戻ることによりその直前に行った検索の条件の一部を変更する場合があり、その場合に、一旦検索の条件の入力をリセットしてしまうと一部のみの変更を行いたいのに全ての条件を入力する必要があり、手間がかかるためである。
【０１０８】
図１８は、チェック者画面５８０を示す図である。ユーザＩＤ入力画面５００においてユーザＩＤ入力欄５０１に入力されたユーザＩＤがチェック者であって、かつ、パスワード入力欄５０２に入力されたパスワードが正しいと管理者判定部４０１１ｃにより判定されると、図１８に示すような、チェック者画面５８０が表示される。チェック者画面５８０では、管理者画面５１０と同様に、ユーザステータス表示ボタン５８１と、ユーザ一覧ボタン５８２と、ユーザ検索ボタン５８３と、戻ボタン５８４とが表示される。ユーザステータス表示ボタン５８１とユーザ検索ボタン５８３とは、管理者画面５１０とは異なりグレーアウトした状態で表示され、チェック者がこれらのボタン５８１、５８３は押すことができないような表示となる。なお、ユーザステータス表示ボタン５８１とユーザ検索ボタン５８３とは、上記のようなグレーアウトした状態で表示することに限らずに、表示そのものが無くてもよい。チェック者は、ユーザ一覧ボタン５８２を押すとユーザ一覧画面５９０（図１９参照）が表示される。なお、チェック者が戻ボタン５８４を押すとログアウトされてユーザＩＤ入力画面５００に戻る。
【０１０９】
図１９は、ユーザ一覧画面５９０を示す図である。チェック者は、チェック者画面５８０においてユーザ一覧ボタン５８２を押すと、図１９に示すように、ユーザ一覧画面５９０が表示される。ユーザ一覧画面５９０では、ユーザ一覧画面５３０と同様に、グループフィールド５９１と、ユーザフィールド５９２と、権限フィールド５９３と、有効／無効フィールド５９４と、ユーザ情報フィールド５９５と、ＩＮ／ＯＵＴ情報フィールド５９６と、キャプチャ情報フィールド５９７と、キャプチャ指令フィールド５９８とが表示され、さらに戻ボタン５９９が表示される。ユーザフィールド５９２は、ユーザＩＤフィールド５９２ａとユーザ名フィールド５９２ｂとに分かれて表示される。ユーザ一覧画面５９０において表示される各フィールド５９１〜５９８はユーザ一覧画面５３０で説明した各フィールド５３１〜５３８と同様であるためここでは説明を省略する。ユーザ一覧画面５９０において、ユーザ情報フィールド５９５に表示されるユーザ情報編集ボタン５９５ａと、ＩＮ／ＯＵＴ情報フィールド５９６に表示されるＩＮ／ＯＵＴ情報閲覧ボタン５９６ａと、キャプチャ指令フィールド５９８に表示されるキャプチャ指令ボタン５９８ａとについては、ユーザ一覧画面５３０とは異なりグレーアウトした状態で表示され、チェック者がこれらのボタン５９５ａ、５９６ａ、５９８ａは押すことができないような表示となる。なお、ユーザ情報編集ボタン５９５ａとＩＮ／ＯＵＴ情報閲覧ボタン５９６ａとキャプチャ指令ボタン５９８ｂとは、上記のようなグレーアウトした状態で表示することに限らずに、表示そのものが無くてもよい。チェック者は、キャプチャ情報フィールド５９７に表示されるキャプチャ情報閲覧ボタン５９７ａを押すとキャプチャ情報閲覧画面６００（図２０参照）が表示される。なお、チェック者が戻ボタン５９９を押すとチェック者画面５８０に戻る。
【０１１０】
図２０は、キャプチャ情報閲覧画面６００を示す図である。チェック者は、ユーザ一覧画面５９０においてキャプチャ情報閲覧ボタン５９７ａを押すと図２０に示すように、キャプチャ情報閲覧画面６００が表示される。キャプチャ情報閲覧画面６００では、キャプチャ情報閲覧画面５５０と同様に、ユーザ一覧ボタン６０１、ＩＮ／ＯＵＴ時間一覧ボタン６０２、キャプチャ指令ボタン６０３、日付指定受付欄６０４、カレンダーボタン６０５、更新ボタン６０６、縮小画像群６０７、及び戻ボタン６０８が表示される。キャプチャ情報閲覧画面６００により表示される各ボタン６０１、６０４〜６０６はキャプチャ情報閲覧画面５５０で説明した各ボタン５５１、５５４〜５５６と同様であるためここでは説明を省略する。キャプチャ情報閲覧画面６００において、ＩＮ／ＯＵＴ時間一覧ボタン６０２及びキャプチャ指令ボタン６０３については、キャプチャ情報閲覧画面５５０とは異なりグレーアウトした状態で表示され、チェック者がＩＮ／ＯＵＴ時間一覧ボタン６０２およびキャプチャ指令ボタン６０３は押すことができないような表示となる。なお、チェック者がＩＮ／ＯＵＴ時間一覧ボタン６０２およびキャプチャ指令ボタン６０３は、上記のようなグレーアウトした状態で表示することに限らずに、表示そのものが無くてもよい。キャプチャ情報閲覧画面６００において表示される縮小画像群６０７は、キャプチャ情報閲覧画面５５０において表示される縮小画像群５５７とは異なり、チェック者がクリックしても押された縮小画像に対応する拡大画像は表示されずにそのままの表示となる。
【０１１１】
また、キャプチャ情報閲覧画面６００では、キャプチャ情報閲覧画面５５０とは異なり、各縮小画像群６０７の右側に送信ボタン６０９がそれぞれ表示される。チェック者が送信ボタン６０９を押すと、予め指定された送信先（例えばチェック者の上司である管理者など）に指定された縮小画像に対応するキャプチャ画像を確認することを管理者に促すメッセージを情報送受信部４０１２が送信する。例えば、図２０に示すキャプチャ情報閲覧画面６００に表示される１３：１８にキャプチャされた縮小画像（右下の画像）の右側の送信ボタン６０９ａをチェック者が押すと「ユーザＩＤ：××○○さんの１月１４日１３：１８のキャプチャ画面をご確認ください」というメッセージが予め指定された送信先に送信される。なお、このメッセージは、電子メールで送信されてもよいし、インスタントメッセージ機能を有するアプリケーションにより送信されてもよい。なお、チェック者が戻ボタン６０８を押すとユーザ一覧画面５９０に戻る。
【０１１２】
管理者は、ユーザ一覧画面５３０におけるキャプチャ指令ボタン５３４ａ、キャプチャ情報閲覧画面５５０におけるキャプチャ指令ボタン５５３、又は検索結果画面５７０におけるキャプチャ指令ボタン５７８ａを押すと、各キャプチャ指令ボタン５３４ａ、５５３、５７８ａに対応するユーザの情報端末１０２に対してキャプチャ指令が出力される。キャプチャ指令は、キャプチャ指令部４０１４により出力され、情報送受信部４０１２により指定された情報端末１０２に対して送信される。管理者がこの操作を行うことにより、指定した情報端末１０２が当該キャプチャ指令を受信した時点において当該情報端末１０２の表示部１０２１に表示されている画像を、当該情報端末１０２の画像キャプチャ部２０１３にキャプチャさせることができる（以下、この処理をキャプチャ指令処理とする）。つまり、管理者は、任意の情報端末１０２の表示部１０２１において表示されている画像を、任意のタイミングで当該情報端末１０２の画像キャプチャ部２０１３に対してキャプチャさせることが出来る。そして、キャプチャ指令処理によって画像キャプチャ部２０１３にキャプチャされた画像は、情報送受信部４０１２によって、当該キャプチャの時点において管理サーバ１０１に送信される。なお、キャプチャ指令処理によって画像キャプチャ部２０１３にキャプチャされた画像は、すぐに管理サーバ１０１に送信されなくてもよく、例えば、上述したキャプチャ指令処理以外の処理で画像キャプチャ部２０１３によってキャプチャされた画像のように、所定のタイミングで情報送信部２０１５によって管理サーバ１０１へ送信されるようにしてもよい。キャプチャ指令処理により、管理者は、任意のタイミングで任意の情報端末１０２に対して当該情報端末１０２に表示されている画像をキャプチャさせることができる。また、管理者はリアルタイムに任意の情報端末１０２の画像を取得することができる。
【０１１３】
このように、広義の管理者をチェック者（第１の管理者）と管理者（第２の管理者）とに役割を分けることにより、管理者がユーザのキャプチャされた画像に関する情報について閲覧しなくとも、チェック者がキャプチャされた画像を閲覧してユーザのサボタージュを判定することができる。また、チェック者には、縮小画像のみを閲覧させることにより、ユーザの個人情報をチェック者が得ることを抑制することができる。
【０１１４】
ここで、ユーザが「勤務中」の場合だけにおいて画像キャプチャの対象となる点は、本実施の形態の情報伝達システムの特徴的な部分である。例えば、図１４に示される画面表示に対して、実働時間として示される矩形部分を管理サーバ１０１側で指定することで、その矩形部分に相当する勤務時間中に情報端末１０２でキャプチャされた画像の一覧表示を、例えば、キャプチャ情報閲覧画面５５０のように表示させることができる。管理者は、この一覧表示の中からいずれかの画像を指定することにより、ユーザが使用する情報端末１０２でキャプチャされた画像（つまり、ユーザが表示部１０２１に表示させていた画像）を確認することができる。これにより、ユーザが「勤務中」として設定していた時間においてそのユーザが情報端末１０２でいかなる作業をしていたか（いかなる画面表示をさせていたか）を確認することができ、ユーザが勤務していたことの信憑性を確認することができる。
【０１１５】
なお、図２１に示すように、画像データのファイル名に、ユーザの氏名、日付、時刻などを付与しておくと、管理者による画像データの管理が容易である。
【０１１６】
以上、本発明に係る情報伝達システムについて、実施の形態に基づいて説明したが、本発明は、この実施の形態に限定されるものではない。本発明の主旨を逸脱しない範囲で実施の形態に対して当業者が思いつく各種変形を施したものも本発明に含まれる。
【０１１７】
たとえば、携帯電話機、携帯情報端末などから、遠隔操作によって、「勤務中」、「休憩中」の指示ができるようなシステム構成としておけば、ユーザは、出張先からでも状態情報を切り替えることができ、在宅だけに留まらず、外出先での勤務を含む就労管理が可能となり、利便性が高まる。
【０１１８】
また、上記実施の形態では、本発明を在宅就労支援システムに適用した場合について説明したが、ｅラーニングシステムに適用することも可能であり、この場合には、学習者（ユーザ）が、実際に学習しているか否か（学習時間、及び、学習中における表示部での表示画像）を管理者が容易に管理することが可能となる。
【０１１９】
また、上記実施の形態では、メッセージ指示領域３０４が第１又は第２の入力として押下されると、情報送信部２０１５は、状態情報保持部２０２１に保持されている状態情報が「勤務中」であれば勤務開始を示すメッセージを管理サーバ１０１に自動送信し、状態情報保持部２０２１に保持されている状態情報が「休憩中」であれば勤務終了を示すメッセージを管理サーバ１０１に自動的に送信しているが、第１又は第２の入力はメッセージ指示領域３０４を押下することに限らない。
【０１２０】
例えば、予めユーザが使用するアプリケーションを登録しておき、登録されたアプリケーションの起動を第１の入力とし、当該アプリケーションの終了を第２の入力としてもよい。なお、アプリケーションが複数登録されている場合には、全くアプリケーションが起動されていない状態からアプリケーションを起動した時（つまり最初のアプリケーションを起動した時）の入力を第１の入力とし、全てのアプリケーションが終了した時（つまり最後のアプリケーションを終了した時）の入力を第２の入力とする。また、第２の入力としては、情報端末１０２の電源がオフにされたときとしてもよい。ただし、情報端末１０２の電源がオフにされると、必ず起動されているアプリケーションは終了されるため、アプリケーションの終了を第２の入力と認識してもよい。
【０１２１】
また、上記実施の形態では、ユーザＩＤ追加部２０１７は、勤務時間情報保持部２０５２に勤務情報が保存される前にユーザＩＤを勤務情報に追加し、また画像保持部２０５１に画像が保存される前にユーザＩＤを画像に追加しているが、ユーザＩＤを追加するタイミングはこれに限らない。
【０１２２】
例えば、情報送信部２０１５が勤務情報又は画像を送信する時に、ユーザＩＤ追加部２０１７がユーザＩＤを追加してもよい。なお、この場合には、上記実施の形態と異なり、情報端末１０２が一人のユーザに専用の場合のみに有効である。したがって、複数のユーザが１台の情報端末１０２を利用するような場合においては上記実施の形態の方が、複数のユーザに応じてユーザＩＤを変更できるため望ましい。
【０１２３】
また、上記実施の形態では、チェック者は、縮小画像のデータのみを閲覧可能な状態とされているが、これに限らずに、チェック者が確認できる情報の種類を縮小画像以外にも設定できるようにしてもよい。
【０１２４】
また、上記実施の形態では、管理者が、キャプチャ指令を行う際に、管理者にキャプチャ指令を指定された情報端末１０２のユーザが勤務中であるか休憩中であるかなどを判定することについては言及していない。例えば、管理者が、キャプチャ指令を行った際に、当該ユーザが休憩中であるか非勤務日であるかを判定する。そして、当該判定の結果が休憩中あるいは非勤務日であった場合に、当該指定された情報端末１０２の画像キャプチャ部２０１３に表示部１０２１において表示されている画像をキャプチャさせずに、当該ユーザが休憩中又は非勤務日であることを知らせるメッセージを管理サーバに通知するようにしてもよい。
【０１２５】
また、上記実施の形態では、管理サーバ１０１が１台で管理者とチェック者とが共有して利用しているがこれに限らない。上記実施形態の管理サーバ画面で説明した画面を情報端末１０２に表示させることができるようにしてもよい。この場合に、チェック者が情報端末１０２を利用して、所定のアプリケーションを起動することにより、管理サーバ１０１の情報保持部に保持されている情報にアクセスして情報端末１０２の表示部１０２１にキャプチャ情報閲覧画面５７０ｂを表示させるようにしてもよい。また、管理サーバ１０１は表示部及び入力受付部を有しないものであってもよく、この場合には、管理者も情報端末１０２を操作することにより、例えば管理者の情報端末１０２の表示部１０２１に上記実施形態において説明した管理サーバ１０１に表示される各画面を表示させるような構成としてもよい。
【産業上の利用可能性】
【０１２６】
本発明は、例えば、インターネットなどを介して情報を伝達する情報伝達システムとして、特に、ユーザが情報端末で勤務・学習した時間等を管理するシステムとして、例えば、在宅就労支援システム、ｅラーニングシステムとして、利用することができる。
【符号の説明】
【０１２７】
１０１    管理サーバ
１０１１    表示部
１０１２    入力受付部
１０２、１０２Ａ、１０２Ｂ    情報端末
１０２１、１０２１Ａ、１０２１Ｂ    表示部
１０２２、１０２２Ａ、１０２２Ｂ    入力受付部
１０３    ネットワーク
２０１    ＣＰＵ
２０１１    表示画像生成部
２０１２    状態情報切替部
２０１３    画像キャプチャ部
２０１４    スクリーンセーバー動作検出部
２０１５    情報送信部
２０１６    計測部
２０１７    ユーザＩＤ追加部
２０２    ＲＡＭ
２０２１    状態情報保持部
２０２２    頻度情報保持部
２０３    ＲＯＭ
２０４、４０４    ＮＩＣ（ネットワーク・インタフェース・カード）
２０５、４０５    ＨＤＤ（ハード・ディスク・ドライブ）
２０５１    画像保持部
２０５２    勤務時間情報保持部
３０１    状態情報表示領域
３０２    勤務中指示領域
３０３    休憩中指示領域
３０４    メッセージ指示領域
４０１１    表示画像生成部
４０１１ａ    集計部
４０１１ｂ    時間判定部
４０１１ｃ    管理者判定部
４０１１ｄ    情報検索部
４０１２    情報送受信部
４０１３    集計時間設定部
４０１４    キャプチャ指令部
４０５１    画像保持部
４０５２    勤務時間情報保持部
４０５３    状態情報保持部
４０５４    ユーザ情報保持部
【図１】
2012256329.tif 000003
【図２】
2012256329.tif 000004
【図３】
2012256329.tif 000005
【図４】
2012256329.tif 000006
【図５】
2012256329.tif 000007
【図６】
2012256329.tif 000008
【図７】
2012256329.tif 000009
【図８】
2012256329.tif 000010
【図９】
2012256329.tif 000011
【図１０】
2012256329.tif 000012
【図１１】
2012256329.tif 000013
【図１２】
2012256329.tif 000014
【図１３】
2012256329.tif 000015
【図１４】
2012256329.tif 000016
【図１５】
2012256329.tif 000017
【図１６】
2012256329.tif 000018
【図１７】
2012256329.tif 000019
【図１８】
2012256329.tif 000020
【図１９】
2012256329.tif 000021
【図２０】
2012256329.tif 000022
【図２１】
2012256329.tif 000023
【手続補正書】
【提出日】平成24年10月9日(2012.10.9)
【手続補正１】
【補正対象書類名】特許請求の範囲
【補正対象項目名】全文
【補正方法】変更
【補正の内容】
【特許請求の範囲】
【請求項１】
管理サーバと一以上の情報端末とから構成される情報伝達システムであって、
前記一以上の情報端末の各々は、
端末側表示部と、
入力受付部と、
前記端末側表示部に、ユーザにより「勤務中又は学習中」か「休憩中」かを指定させるための画像を表示させる端末側表示画像生成部と、
「勤務中又は学習中」か「休憩中」かを示す状態情報を保持する状態情報保持部と、
前記入力受付部が受け付けた前記ユーザからの入力に従い、前記状態情報保持部に保持されている前記状態情報を切り替える状態情報切替部と、
前記状態情報保持部に保持されている状態情報が「勤務中又は学習中」を示す場合に、前記端末側表示部に表示されている画像を予め定められた頻度でキャプチャする画像キャプチャ部と、
前記画像キャプチャ部がキャプチャした画像を保持する画像保持部と、
前記状態情報保持部に保持されている状態情報に関する情報、及び、前記画像保持部に保持されている画像に関する情報を前記管理サーバに送信する端末側情報送信部と、を備え、
前記管理サーバは、
サーバ側表示部と、
ユーザからの入力を受け付けるサーバ側入力受付部と、
前記ユーザが、前記画像に関する情報が縮小されることにより得られる縮小画像のデータのみを閲覧できる権限を持つ第１の管理者であるか、全ての情報を閲覧できる権限を持つ第２の管理者であるか、前記第１の管理者および前記第２の管理者以外のユーザであるかを、前記サーバ側入力受付部により入力されたユーザを識別するためのユーザＩＤと、予め保持されている第１の管理者および第２の管理者のいずれかであることを識別するための権限情報との比較に基づいて、判定する管理者判定部と、
前記サーバ側表示部への表示画像を生成するサーバ側表示画像生成部と、
を備え、
前記サーバ側表示画像生成部は、
前記ユーザが前記第１の管理者であると前記管理者判定部が判定した場合に、前記情報端末の各々から送信されてきた、前記状態情報に関する情報、及び、前記画像保持部に保持されている画像に関する情報のうちで、前記画像に関する情報が縮小されることにより得られる縮小画像のデータのみを閲覧可能な状態で前記サーバ側表示部に表示させ、かつ、前記縮小画像のデータを、前記第１の管理者の選択を受け付ける状態で前記サーバ側表示部に表示させ、
前記管理者判定部が前記第２の管理者であると判定した場合に、前記情報端末の各々から送信されてきた、前記状態情報に関する情報、及び、前記画像保持部に保持されている画像に関する情報の全てを閲覧可能な画面を前記サーバ側表示部に表示させ、
前記管理サーバは、さらに、
前記第１の管理者であると前記管理者判定部に判定されたユーザによる入力であって、前記サーバ側入力受付部が前記縮小された画像の選択を示す入力を受け付けたとき、予め定められたメッセージを予め指定された送信先に送信するサーバ側情報送信部を備える
情報伝達システム。
【請求項２】
前記サーバ側表示画像生成部は、前記ユーザが前記第２の管理者であると前記管理者判定部が判定した場合に、キャプチャ指令を出力させるための入力を受け付けるためのキャプチャ指令ボタンを、前記情報端末ごとに対応させて前記サーバ側表示部に表示させ、
前記管理サーバは、さらに、
前記キャプチャ指令ボタンを押すという入力が前記サーバ側入力受付部に受け付けられた場合に、当該キャプチャ指令ボタンが対応する情報端末に対してキャプチャ指令を出力するキャプチャ指令部と、
前記キャプチャ指令部による前記キャプチャ指令の対象となった情報端末に前記キャプチャ指令を送信するサーバ側情報送信部と、
を備え、
前記画像キャプチャ部は、前記管理サーバから送信されてきた前記キャプチャ指令を受信した時点で、当該キャプチャ指令に基づいて前記端末側表示部に表示されている画像をキャプチャする
請求項１に記載の情報伝達システム。
【請求項３】
前記端末側情報送信部は、前記画像キャプチャ部が前記キャプチャ指令に基づいて前記端末側表示部に表示されている画像をキャプチャした場合に、当該キャプチャされた画像をキャプチャされた時点で前記管理サーバに送信する
請求項２に記載の情報伝達システム。
【請求項４】
前記サーバ側表示画像生成部は、さらに、
前記ユーザが前記第２の管理者であると前記管理者判定部が判定した場合に、
前記情報端末における勤務中の時間帯及び休憩中の時間帯を示す情報を前記サーバ側表示部に前記情報端末ごとに表示させ、
前記サーバ側入力受付部が前記勤務中の時間帯を示す情報に対する指定を示す入力を受け付けた場合に、当該勤務中の時間帯に当該情報端末においてキャプチャされた画像の一覧表示を前記サーバ側表示部に表示させる
請求項１から３のいずれか１項に記載の情報伝達システム。
【請求項５】
前記画像キャプチャ部は、前記予め定められた頻度として、一定時間内に一定回数の頻度のうちのランダムなタイミングでキャプチャを行う
請求項１から４のいずれか１項に記載の情報伝達システム。
【請求項６】
前記一以上の情報端末の各々は、さらに、
前記状態情報保持部に保持されている状態情報が「勤務中又は学習中」となって継続していた時間を計測する計測部を備え、
前記端末側情報送信部は、前記状態情報に関する情報として、前記計測部によって計測された結果を前記管理サーバに送信する
請求項１から５のいずれか１項に記載の情報伝達システム。
【請求項７】
前記画像キャプチャ部は、
前記管理サーバを管理する管理者により設定された所定の頻度で前記画像をキャプチャする
請求項１から４のいずれか１項に記載の情報伝達システム。
【請求項８】
前記画像保持部は、前記画像キャプチャ部がキャプチャした画像を縮小した画像を保持し、
前記端末側情報送信部は、前記画像に関する情報として、前記画像保持部に保持されている縮小画像を前記管理サーバに送信する
請求項１から７のいずれか１項に記載の情報伝達システム。
【請求項９】
前記端末側表示画像生成部は、前記状態情報が「勤務中又は学習中」であるか「休憩中」であるかに基づいて、ウィンドウの表示形態又は背景画像の少なくとも一方を変更して前記端末側表示部に表示させる
請求項１から８のいずれか１項に記載の情報伝達システム。
【請求項１０】
前記端末側情報送信部は、
前記状態情報保持部に保持されている状態情報が「勤務中又は学習中」となっている場合に、前記入力受付部が前記ユーザから第１の入力を受け付けると、勤務開始情報を予め指定された送信先に送信し、
前記状態情報保持部に保持されている状態情報が「休憩中」となっている場合に、前記入力受け付け部が前記ユーザから第２の入力を受け付けると、勤務終了情報を前記予め指定された送信先に送信する
請求項１から９のいずれか１項に記載の情報伝達システム。
【請求項１１】
前記管理サーバは、
前記情報端末の各々から送信されてきた前記状態情報に関する情報に基づいて、当該情報端末が備える前記状態情報保持部に保持されている状態情報が「勤務中又は学習中」として継続していた時間の累計値を算出する集計部を備える
請求項１に記載の情報伝達システム。
【請求項１２】
前記管理サーバは、さらに、
前記集計部が前記累計値の算出を開始する時間である集計開始時間と、前記集計部が前記累計値の累計を算出する累計期間とを、ユーザからの入力に基づいて設定する集計時間設定部を備え、
前記集計部は前記集計時間設定部により設定される前記集計開始時間から前記累計値の累計を開始し、前記集計開始時間から前記累計期間が経過すると前記累計を終了する
請求項１１に記載の情報伝達システム。
【請求項１３】
前記管理サーバは、さらに、
サーバ側表示部と、
前記情報端末の各々から送信されてきた状態情報に関する情報、又は、当該管理サーバが備える集計部による集計結果を表す情報を前記サーバ側表示部に表示させるサーバ側表示画像生成部と、を備える
請求項６、１１又は１２のいずれか１項に記載の情報伝達システム。
【請求項１４】
前記一以上の情報端末の各々は、さらに、
前記ユーザを識別するためのユーザＩＤを、前記状態情報に関する情報、及び、前記画像キャプチャ部がキャプチャした画像に対応させるユーザＩＤ追加部を備え、
前記サーバ側表示画像生成部は、前記情報端末の各々から送信されてきた状態情報に関する情報、又は前記画像に関する情報を、前記ユーザＩＤ毎に前記サーバ側表示部に表示させる  請求項１３に記載の情報伝達システム。
【請求項１５】
前記集計部は、所定期間中における前記状態情報保持部に保持されている状態情報が「勤務中又は学習中」として継続していた時間の累計値を前記ユーザＩＤ毎に算出し、
前記管理サーバは、さらに、
前記集計部が算出する前記所定期間中における累計値が所定値を超えているか否かを判定する時間判定部を備え、
前記サーバ側表示画像生成部は、前記時間判定部による判定の結果を前記ユーザＩＤ毎に前記サーバ側表示部に表示させる
請求項１４に記載の情報伝達システム。
【請求項１６】
前記管理サーバは、さらに、
前記ユーザＩＤと前記ユーザを複数のグループ毎に分類するグループＩＤとを関連付けたユーザ情報を保持するユーザ情報保持部を備え、
前記サーバ側表示画像生成部は、前記管理者に選択されたグループに関する入力と前記ユーザ情報とに基づいて、当該グループに属するユーザＩＤに対応する前記情報端末の各々から送信されてきた状態情報に関する情報、前記画像に関する情報、又は前記集計結果を表す情報を前記グループ毎に前記サーバ側表示部に表示させる
請求項１５に記載の情報伝達システム。
【請求項１７】
前記管理サーバは、さらに、
前記ユーザ情報保持部を含み、かつ、前記情報端末の各々から送信されてきた前記状態情報に関する情報、前記画像に関する情報、及び前記集計結果を表す情報を保持する情報保持部と、
前記情報保持部が保持する前記状態情報に関する情報、及び、前記画像に関する情報から、前記ユーザＩＤ、前記グループＩＤ、又は前記所定期間中における前記累計値の内の少なくとも１つを前記管理者の入力に基づいて検索する情報検索部と
を備え、
前記サーバ側表示画像生成部は、前記情報検索部の検索の結果を前記サーバ側表示部に表示させる
請求項１６に記載の情報伝達システム。
【請求項１８】
前記情報端末の少なくとも一つは、さらに、当該端末においてスクリーンセーバーが動作を始めたことを検出するスクリーンセーバー動作検出部を備え、
前記スクリーンセーバー動作検出部は、前記状態情報保持部に保持されている状態情報が「勤務中又は学習中」であって、スクリーンセーバーが動作を始めたことを検出した場合には、一定の処理をした後に、前記状態情報を、「休憩中」を示す情報に切り替える
請求項１から１７のいずれか１項に記載の情報伝達システム。
【請求項１９】
前記スクリーンセーバー動作検出部は、さらに、スクリーンセーバー動作状態が解消したことを検出し、当該スクリーンセーバー動作状態が解消したことを検出した場合には、前記状態情報を、「勤務中又は学習中」を示す情報に切り替える
請求項１８に記載の情報伝達システム。
【請求項２０】
前記情報端末の少なくとも一つは、
前記状態情報保持部に保持されている状態情報が「勤務中又は学習中」となったタイミングから「勤務中又は学習中」が継続している時間である連続勤務時間を計測する連続勤務時間計測部と、
前記連続勤務時間が予め設定された所定の時間を超えた場合に、その旨を示す情報を当該情報端末の端末側表示部に表示させる連続勤務画像表示部とを備える
請求項１から１９のいずれか１項に記載の情報伝達システム。
【請求項２１】
請求項１記載の情報伝達システムにおける管理サーバ。
【請求項２２】
管理サーバと一以上の情報端末とから構成される情報伝達システムにおける前記一以上の情報端末の各々による情報伝達方法であって、
表示部に、ユーザにより「勤務中又は学習中」か「休憩中」かを指定させるための画像を表示させる指定画面表示ステップと、
入力受付部が受け付けた前記ユーザからの入力に従い、状態情報保持部に保持されている「勤務中又は学習中」か「休憩中」かを示す状態情報を切り替える状態情報切替ステップと、
前記状態情報保持部に保持されている状態情報が「勤務中又は学習中」を示す場合に、前記表示部に表示されている画像を予め定められた頻度でキャプチャする自動キャプチャステップと、
前記自動キャプチャステップにおいてキャプチャされた画像を画像保持部に保持させる画像保持ステップと、
前記状態情報保持部に保持されている状態情報に関する情報、及び、前記画像保持部に保持されている画像に関する情報を前記管理サーバに送信する送信ステップと、
前記ユーザが、前記画像に関する情報が縮小されることにより得られる縮小画像のデータのみを閲覧できる権限を持つ第１の管理者であるか、全ての情報を閲覧できる権限を持つ第２の管理者であるか、前記第１の管理者および前記第２の管理者以外のユーザであるかを、前記サーバ側入力受付部により入力されたユーザを識別するためのユーザＩＤと、予め保持されている第１の管理者および第２の管理者のいずれかであることを識別するための権限情報との比較に基づいて、判定する管理者判定ステップと、
前記表示部への表示画像を生成するサーバ側表示画像生成ステップと、
前記管理者判定ステップにおいて前記第１の管理者であると判定した場合に、前記情報端末の各々から送信されてきた、前記状態情報に関する情報、及び、前記画像保持部に保持されている画像に関する情報のうちで、前記画像に関する情報が縮小されることにより得られる縮小画像のデータのみを閲覧可能な状態で前記サーバ側表示部に表示させ、かつ、前記縮小画像のデータを、前記第１の管理者の選択を受け付ける状態で前記サーバ側表示部に表示させる第一表示ステップと、
前記管理者判定ステップにおいて前記第２の管理者であると判定した場合に、前記情報端末の各々から送信されてきた、前記状態情報に関する情報、及び、前記画像保持部に保持されている画像に関する情報の全てを閲覧可能な画面を前記サーバ側表示部に表示させる第二表示ステップと、
前記第１の管理者であると前記管理者判定ステップにおいて判定されたユーザによる入力であって、前記サーバ側入力受付部が前記縮小された画像の選択を示す入力を受け付けたとき、予め定められたメッセージを予め指定された送信先に送信するサーバ側情報送信ステップと
を含む情報伝達方法。
【請求項２３】
管理サーバと一以上の情報端末とから構成される情報伝達システムにおける前記一以上の情報端末の各々による情報伝達方法のためのプログラムであって、
請求項２２記載の情報伝達方法に含まれるステップを当該情報端末が備えるコンピュータに実行させるプログラム。
【手続補正２】
【補正対象書類名】明細書
【補正対象項目名】０００８
【補正方法】変更
【補正の内容】
【０００８】
上記の問題点を解決するために、本発明に係る情報伝達システムは、管理サーバと一以上の情報端末とから構成される情報伝達システムであって、前記一以上の情報端末の各々は、端末側表示部と、入力受付部と、前記端末側表示部に、ユーザにより「勤務中又は学習中」か「休憩中」かを指定させるための画像を表示させる端末側表示画像生成部と、「勤務中又は学習中」か「休憩中」かを示す状態情報を保持する状態情報保持部と、前記入力受付部が受け付けた前記ユーザからの入力に従い、前記状態情報保持部に保持されている前記状態情報を切り替える状態情報切替部と、前記状態情報保持部に保持されている状態情報が「勤務中又は学習中」を示す場合に、前記端末側表示部に表示されている画像を予め定められた頻度でキャプチャする画像キャプチャ部と、前記画像キャプチャ部がキャプチャした画像を保持する画像保持部と、前記状態情報保持部に保持されている状態情報に関する情報、及び、前記画像保持部に保持されている画像に関する情報を前記管理サーバに送信する端末側情報送信部と、を備え、前記管理サーバは、サーバ側表示部と、ユーザからの入力を受け付けるサーバ側入力受付部と、前記ユーザが、前記画像に関する情報が縮小されることにより得られる縮小画像のデータのみを閲覧できる権限を持つ第１の管理者であるか、全ての情報を閲覧できる権限を持つ第２の管理者であるか、前記第１の管理者および前記第２の管理者以外のユーザであるかを、前記サーバ側入力受付部により入力されたユーザを識別するためのユーザＩＤと、予め保持されている第１の管理者および第２の管理者のいずれかであることを識別するための権限情報との比較に基づいて、判定する管理者判定部と、前記サーバ側表示部への表示画像を生成するサーバ側表示画像生成部と、を備え、前記サーバ側表示画像生成部は、前記ユーザが前記第１の管理者であると前記管理者判定部が判定した場合に、前記情報端末の各々から送信されてきた、前記状態情報に関する情報、及び、前記画像保持部に保持されている画像に関する情報のうちで、前記画像に関する情報が縮小されることにより得られる縮小画像のデータのみを閲覧可能な状態で前記サーバ側表示部に表示させ、かつ、前記縮小画像のデータを、前記第１の管理者の選択を受け付ける状態で前記サーバ側表示部に表示させ、前記管理者判定部が前記第２の管理者であると判定した場合に、前記情報端末の各々から送信されてきた、前記状態情報に関する情報、及び、前記画像保持部に保持されている画像に関する情報の全てを閲覧可能な画面を前記サーバ側表示部に表示させ、前記管理サーバは、さらに、前記第１の管理者であると前記管理者判定部に判定されたユーザによる入力であって、前記サーバ側入力受付部が前記縮小された画像の選択を示す入力を受け付けたとき、予め定められたメッセージを予め指定された送信先に送信するサーバ側情報送信部を備える。
【手続補正３】
【補正対象書類名】明細書
【補正対象項目名】００１２
【補正方法】変更
【補正の内容】
【００１２】
また、前記サーバ側表示画像生成部は、前記ユーザが前記第２の管理者であると前記管理者判定部が判定した場合に、キャプチャ指令を出力させるための入力を受け付けるためのキャプチャ指令ボタンを、前記情報端末ごとに対応させて前記サーバ側表示部に表示させ、前記管理サーバは、さらに、前記キャプチャ指令ボタンを押すという入力が前記サーバ側入力受付部に受け付けられた場合に、当該キャプチャ指令ボタンが対応する情報端末に対してキャプチャ指令を出力するキャプチャ指令部と、前記キャプチャ指令部による前記キャプチャ指令の対象となった情報端末に前記キャプチャ指令を送信するサーバ側情報送信部と、を備え、前記画像キャプチャ部は、前記管理サーバから送信されてきた前記キャプチャ指令を受信した時点で、当該キャプチャ指令に基づいて前記端末側表示部に表示されている画像をキャプチャしてもよい。
また、前記端末側情報送信部は、前記画像キャプチャ部が前記キャプチャ指令に基づいて前記端末側表示部に表示されている画像をキャプチャした場合に、当該キャプチャされた画像をキャプチャされた時点で前記管理サーバに送信してもよい。
これにより、管理者が任意のタイミングで任意の端末装置に対して当該端末装置に表示されている画像をキャプチャさせることができる。また、管理者はリアルタイムに任意の情報端末の画像を取得することができる。
また、前記サーバ側表示画像生成部は、さらに、前記ユーザが前記第２の管理者であると前記管理者判定部が判定した場合に、前記情報端末における勤務中の時間帯及び休憩中の時間帯を示す情報を前記サーバ側表示部に前記情報端末ごとに表示させ、前記サーバ側入力受付部が前記勤務中の時間帯を示す情報に対する指定を示す入力を受け付けた場合に、当該勤務中の時間帯に当該情報端末においてキャプチャされた画像の一覧表示を前記サーバ側表示部に表示させてもよい。
【手続補正４】
【補正対象書類名】明細書
【補正対象項目名】００３２
【補正方法】削除
【補正の内容】
【手続補正５】
【補正対象書類名】明細書
【補正対象項目名】００３３
【補正方法】削除
【補正の内容】
【手続補正６】
【補正対象書類名】明細書
【補正対象項目名】００３４
【補正方法】削除
【補正の内容】